(57)【要約】【課題】オーディオ信号を主として記録する場合にユーザにとって簡易に再生することができて使い勝手がよく、また、実時間の管理を簡単にすることができるオーディオディスクを提供する。【解決手段】ＤＶＤオーディオディスクのフォーマットはＶＴＳは含まず、ＡＴＳのみにより構成されている。ＡＴＳはオーディオマネージャ（ＡＭＧ）と、ビデオ及びオーディオのオーディオマネージャメニュー（ＡＭＧＭ）と、ＡＭＧ内のＡＭＧＩにより管理されるＡＴＳ＜１＞及びＡＴＳ＜２＞により構成され、また、ＡＴＳ＜１＞及びＡＴＳ＜２＞はＡ−ＣＯＮＴパックを含まず、Ａパックと静止画パックにより構成されている。この静止画パックはＡパックに対して多く配置されず、１トラック当たり１パック程度が配置される。【選択図】　　　　図２９
2004047073.tif 000002
【特許請求の範囲】
【請求項１】
補助信号の記録領域と、主信号の記録領域とが連続して配置されて前記主信号の記録領域に、
アナログ音声信号がマルチチャネルのセンターチャネルを除くチャネルグループである第１のチャネルグループと、センターチャネルからなるチャネルグループである第２のチャネルグループとにそれぞれ割り当てられて第１のチャネルグループと第２のチャネルグループのチャネル毎に異なるビット数及びサンプリング周波数で量子化され、エンファシスが選択的に付与されると共に前記第２のチャネルグループのチャネルに対して共通のビットシフト量でビットシフトした各デジタル音声信号として記録されるオーディオパックであって、前記オーディオパックの所定の領域にデジタル音声信号の第１のチャネルグループと第２のチャネルグループのチャネル毎の量子化ビット数及びサンプリング周波数と、前記エンファシスが付与された場合に識別可能なフラグと、前記第２のチャネルグループのチャネルに対する共通のビットシフト量と、前記割り当てられた第１のチャネルグループと第２のチャネルグループのチャネルをそれぞれ特定するチャネル割り当て情報が記録されるオーディオパックと、
前記オーディオパックを管理する管理情報であって、前記オーディオパックに記録されているデジタル音声信号の第１のチャネルグループと第２のチャネルグループのチャネル毎の量子化ビット数及びサンプリング周波数と、前記第２のチャネルグループのチャネルに対する共通のビットシフト量と、前記割り当てられた第１のチャネルグループと第２のチャネルグループのチャネルをそれぞれ特定するチャネル割り当て情報が記録される管理情報（ＡＯＴＴ−ＡＯＢ−ＡＴＲ、及びＡＴＳ−ＰＧ−ＣＮＴ）と、
を所定のフォーマットにより記録したオーディオディスク。
【請求項２】
請求項１記載のオーディオディスクに記録されたオーディオ信号をデコードするデコード装置であって、
前記オーディオパックの所定の領域または／および前記管理情報に記録されているデジタル音声信号のセンターチャネルを除くチャネルグループである第１のチャネルグループと、センターチャネルからなるチャネルグループである第２のチャネルグループのチャネル毎の量子化ビット数及びサンプリング周波数と、前記エンファシスが付与された場合に識別可能なフラグと、前記第２のチャネルグループのチャネルに対する共通のビットシフト量と、前記割り当てられた第１のチャネルグループと第２のチャネルグループのチャネルをそれぞれ特定するチャネル割り当て情報とに基づいて、前記オーディオパックに記録されている第１のチャネルグループと第２のチャネルグループのチャネルのデジタル音声信号をデコードする手段を、
有するオーディオ信号のデコード装置。
【発明の詳細な説明】
【０００１】
【発明の属する技術分野】
本発明は、オーディオディスク及びそのディスクに記録されたデータのデコード装置に関する。
【０００２】
【従来の技術】
従来のオーディオ再生用光ディスクとしてはＣＤ（コンパクトディスク）が知られている。また、ＣＤより高密度な光ディスクとしてＤＶＤ（デジタルビデオディスク）が知られている。
【０００３】
【発明が解決しようとする課題】
しかしながら、ＤＶＤ（以下、ＤＶＤ−ビデオ）ではビデオ信号が主、オーディオ信号が従として記録されるので、次のような問題点がある。
（１）オーディオ信号がビデオ信号と一体化されており、オーディオ信号の記録容量が少ない。
（２）オーディオ信号の時間を管理することができない。
（３）曲名などの簡単な文字情報を取り出すことができない。
【０００４】
また、ビデオに比べて、オーディオのユーザは使い方の層が幅広いので、ＣＤのようにＴＯＣ（Ｔａｂｌｅ　Ｏｆ　Ｃｏｎｔｅｎｔｓ）の領域を設けることにより簡易な再生方法が求められる。しかしながら、ＤＶＤ−ビデオでは、ナビゲーションコントロールパック（ＣＯＮＴパック）と複数のビデオ（Ｖ）パック及びオーディオ（Ａ）パックによりビデオコンテンツブロックユニットを構成してＶ、Ａパックの再生などをＣＯＮＴパックにより制御するので、オーディオ信号を主として記録しようとしてもユーザにとって簡易に再生することができず、使い勝手が悪いという問題点がある。
【０００５】
また、ＤＶＤ−ビデオでは、時間管理をビデオフレーム単位でのみ行うので、オーディオ信号を主として記録しようとしても、ビデオに比べてオーディオ信号は連続性が重要であるので実時間の管理が困難であるという問題点がある。
【０００６】
そこで、本発明は、オーディオ信号を主として記録する場合にユーザにとって簡易に再生することができて使い勝手がよく、また、実時間の管理を簡単にすることができるデータを記録したオーディオディスク及びそのデータのデコード装置を提供することを目的とする。
【０００７】
【課題を解決するための手段】
本発明は上記目的を達成するために、以下の１）及び２）に記載の手段より成る。
すなわち、
１）補助信号の記録領域と、主信号の記録領域とが連続して配置されて前記主信号の記録領域に、
アナログ音声信号がマルチチャネルのセンターチャネルを除くチャネルグループである第１のチャネルグループと、センターチャネルからなるチャネルグループである第２のチャネルグループとにそれぞれ割り当てられて第１のチャネルグループと第２のチャネルグループのチャネル毎に異なるビット数及びサンプリング周波数で量子化され、エンファシスが選択的に付与されると共に前記第２のチャネルグループのチャネルに対して共通のビットシフト量でビットシフトした各デジタル音声信号として記録されるオーディオパックであって、前記オーディオパックの所定の領域にデジタル音声信号の第１のチャネルグループと第２のチャネルグループのチャネル毎の量子化ビット数及びサンプリング周波数と、前記エンファシスが付与された場合に識別可能なフラグと、前記第２のチャネルグループのチャネルに対する共通のビットシフト量と、前記割り当てられた第１のチャネルグループと第２のチャネルグループのチャネルをそれぞれ特定するチャネル割り当て情報が記録されるオーディオパックと、
前記オーディオパックを管理する管理情報であって、前記オーディオパックに記録されているデジタル音声信号の第１のチャネルグループと第２のチャネルグループのチャネル毎の量子化ビット数及びサンプリング周波数と、前記第２のチャネルグループのチャネルに対する共通のビットシフト量と、前記割り当てられた第１のチャネルグループと第２のチャネルグループのチャネルをそれぞれ特定するチャネル割り当て情報が記録される管理情報（ＡＯＴＴ−ＡＯＢ−ＡＴＲ、及びＡＴＳ−ＰＧ−ＣＮＴ）と、
を所定のフォーマットにより記録したオーディオディスク。
２）請求項１記載のオーディオディスクに記録されたオーディオ信号をデコードするデコード装置であって、
前記オーディオパックの所定の領域または／および前記管理情報に記録されているデジタル音声信号のセンターチャネルを除くチャネルグループである第１のチャネルグループと、センターチャネルからなるチャネルグループである第２のチャネルグループのチャネル毎の量子化ビット数及びサンプリング周波数と、前記エンファシスが付与された場合に識別可能なフラグと、前記第２のチャネルグループのチャネルに対する共通のビットシフト量と、前記割り当てられた第１のチャネルグループと第２のチャネルグループのチャネルをそれぞれ特定するチャネル割り当て情報とに基づいて、前記オーディオパックに記録されている第１のチャネルグループと第２のチャネルグループのチャネルのデジタル音声信号をデコードする手段を、
有するオーディオ信号のデコード装置。
【０００８】
【発明の実施の形態】
以下、図面を参照して本発明の実施の形態を説明する。
図１はＤＶＤ−ビデオのフォーマットと、参考例としてのＤＶＤ−オーディオのフォーマットの説明図、図２は図１のオーディオマネージャ（ＡＭＧ）のフォーマットを詳しく示す説明図、図３は図１のオーディオタイトルセット（ＡＴＳ）のフォーマットを詳しく示す説明図、図４は図２のオーディオマネージャインフォメーション（ＡＭＧＩ）のフォーマットを詳しく示す説明図、図５は図４のオーディオタイトルセット・アトリビュートテーブル（ＡＴＳ−ＡＴＲＴ）のフォーマットを詳しく示す説明図、図６は図５のオーディオタイトルセット・アトリビュートデータ（ＡＴＳ−ＡＴＲ）のフォーマットを詳しく示す説明図、図７は図３のオーディオタイトルセットインフォメーション（ＡＴＳＩ）のフォーマットを詳しく示す説明図、図８は図７のオーディオタイトルセットインフォメーション・マネージメントテーブル（ＡＴＳＩ−ＭＡＴ）のフォーマットを詳しく示す説明図、図９は図８のオーディオタイトルセットメニュー・オーディオストリーム・アトリビュートデータ（ＡＴＳＭ−ＡＳＴ−ＡＴＲ）を詳しく示す説明図、図１０は図８のオーディオタイトルセット・オーディオストリーム・アトリビュートテーブル（ＡＴＳ−ＡＳＴ−ＡＴＲＴ）のフォーマットを詳しく示す説明図、図１１は図１０の各オーディオストリームのアトリビュートデータ（ＡＴＳ−ＡＳＴ−ＡＴＲ）を詳しく示す説明図である。
【０００９】
また、図１２は図１のオーディオコンテンツブロックユニット（ＡＣＢＵ）を示す説明図、図１３は図１２のオーディオパックとビデオパックのフォーマットを詳しく示す説明図、図１４は図１２のオーディオコントロール（Ａ−ＣＯＮＴ）パックのフォーマットを詳しく示す説明図、図１５は図１４のオーディオキャラクタディスプレイ（ＡＣＤ）エリアのフォーマットを詳しく示す説明図、図１６は図１５のネームスペース情報により表示される例を示す説明図、図１７は図１４のオーディオサーチデータ（ＡＳＤ）エリアのフォーマットを詳しく示す説明図、図１８は図１のオーディオコンテンツブロックユニットの変形例を示す説明図である。
【００１０】
また、図１９は参考例としてのＤＶＤ−オーディオディスクの再生装置を示すブロック図、図２０は図１９の再生装置を機能的に示すブロック図、図２１は第２の参考例におけるオーディオマネージャインフォメーション（ＡＭＧＩ）のフォーマットを詳しく示す説明図、図２２は図２１のＴＯＣ情報を詳しく示す説明図、図２３は第２の参考例におけるオーディオタイトルセットインフォメーション（ＡＴＳＩ）のフォーマットを詳しく示す説明図、図２４は第２の参考例のＤＶＤ−オーディオディスクの再生装置を示すブロック図、図２５は図２４の再生装置を機能的に示すブロック図、図２６は第３の参考例におけるＴＯＣ情報と再生装置を示すブロック図、図２７及び図２８はＡ−Ｖ同期再生処理を説明するためのフローチャートである。
【００１１】
ここで、この説明のＤＶＤ−オーディオディスクには、ＣＤ世代からＤＶＤ−オーディオ世代に移行する際の過渡期に対応するように、オーディオ信号としてステレオ用２チャネルと５／６／８チャネルのマルチチャネルの両方の信号が記録される。また、この過渡期が経過したときには５／６／８チャネルのマルチチャネル信号のみが記録されるようになると考えられる。
【００１２】
図１（ａ）、（ｂ）はそれぞれＤＶＤ−ビデオ、ＤＶＤ−オーディオの各フォーマットを示し、ＤＶＤ−オーディオのフォーマットはエリアの名称が異なるがＤＶＤ−ビデオと互換性を有する。まず、大別してＤＶＤ−ビデオのフォーマットは先頭のビデオマネージャ（ＶＭＧ）と、それに続く複数のビデオタイトルセット（ＶＴＳ）の各エリアにより構成され、他方、ＤＶＤ−オーディオのフォーマットはこれに対応して図２に詳しく示すオーディオマネージャ（ＡＭＧ）と、図３に詳しく示すようにＡＭＧに続く複数のオーディオタイトルセット（ＡＴＳ）の各エリアにより構成されている。
【００１３】
ＶＴＳの各々は先頭のＶＴＳインフォメーション（ＶＴＳＩ）と、それに続く１以上のビデオコンテンツブロックセット（ＶＣＢＳ）と最後のＶＴＳＩにより構成され、他方、ＡＴＳの各々はこれに対応して先頭のＡＴＳインフォメーション（ＡＴＳＩ）と、それに続く１以上のオーディオコンテンツブロックセット（ＡＣＢＳ）と最後のＡＴＳＩにより構成されている。ＡＴＳＩには、ＡＣＢＳ内の各曲の演奏時間が実時間でセットされる。
本発明では、最初のＡＣＢＳにはメニュー画面を表示するためのメニュー情報が記録される。これはＤＶＤビデオと同様のものであり説明を省く。
【００１４】
ＶＣＢＳの各々は複数のＶＣＢにより構成され、他方、ＡＣＢＳの各々は複数のＡＣＢにより構成されている。ＶＣＢの各々はビデオの１タイトル（Ｔｉｔｌｅ）分であり、ＡＣＢの各々はこれに対応してオーディオの１タイトル分である。ＶＣＢの各々（１タイトル）は複数のチャプタ（Ｃｈａｐｔｅｒ）により構成され、他方、ＡＣＢの各々（１タイトル）はこれに対応して複数のトラック（Ｔｒａｃｋ）により構成されている。チャプタはパートオブタイトル（ＰＴＴ）を含み、トラックはパートオブタイトル（ＰＴＴ）を含む。
【００１５】
チャプタの各々は複数のセル（ＣＥＬＬ）により構成され、他方、トラックの各々はこれに対応して複数のインデックス（Ｉｎｄｅｘ）により構成されている。セルの各々は複数のＶＣＢユニット（ＶＣＢＵ）により構成され、他方、インデックスの各々はこれに対応して複数のＡＣＢユニット（ＡＣＢＵ）により構成されている。ＶＣＢユニットとＡＣＢユニットの各々は、複数のパックにより構成され、１パックは２０４８バイトで構成されている。
【００１６】
ＶＣＢユニットの各々は、先頭のコントロールパック（以下、ＣＯＮＴパック）と、それに続く複数のオーディオ（Ａ）パック、ビデオ（Ｖ）パック、及びサブピクチャ（ＳＰ）パックにより構成され、他方、ＡＣＢユニットの各々は、これに対応して先頭のオーディオコントロールパック（以下、Ａ−ＣＯＮＴパック）と、それに続く複数のＡパックとＶパックにより構成されている。
【００１７】
ＣＯＮＴパックには後続のＶパックを制御する情報が配置され、Ａ−ＣＯＮＴパックにはＣＤのＴＯＣ情報のように後続のＡパックのオーディオ信号を管理するための情報が配置される。Ａパックにはオーディオデータが配置され、Ｖパックにはビデオデータの他、オーディオデータ以外の例えばクローズドキャプション（ＣＣ）データが配置される。
【００１８】
ＡＭＧ（オーディオマネージャ）は図２に示すように、
・図４に詳しく示すオーディオマネージャインフォメーション（ＡＭＧＩ）と、・ＡＭＧメニュー用のオーディオコンテンツブロックセット（ＡＭＧＭ−ＡＣＢＳ）と、
・バックアップ用のＡＭＧＩ
を有する。ＡＭＧＭ−ＡＣＢＳはコントロール情報として・プレゼンテーションコントロールインフォメーション（ＰＣＩ）と、
・データサーチインフォメーション（ＤＳＩ）
を有する。
【００１９】
ＡＴＳ（オーディオタイトルセット）は図３に示すように、
・図７に詳しく示すオーディオタイトルセットインフォメーション（ＡＴＳＩ）と、
・ＡＴＳメニュー用のオーディオコンテンツブロックセット（ＡＴＳＭ−ＡＣＢＳ）と、
・ＡＴＳタイトル用のオーディオコンテンツブロックセット（ＡＴＳＡ−ＡＣＢＳ）と、
・バックアップ用のＡＴＳＩ
を有する。ＡＴＳＭ−ＡＣＢＳとＡＴＳＡ−ＡＣＢＳは共に、前述（図２）したＰＣＩとＤＳＩを有する。
【００２０】
ＡＭＧＩ（オーディオマネージャインフォメーション）は図４に詳しく示すように、
・ＡＭＧＩのマネージメントテーブル（ＡＭＧＩ−ＭＡＴ）と、
・タイトルのサーチポインタテーブル（Ｔ−ＳＲＰＴ）と、
・オーディオマネージャメニューＰＧＣＩユニットテーブル（ＡＭＧＭ−ＰＧＣＩ−ＵＴ）と、
・ペアレンタルマネージメントインフォメーションテーブル（ＰＴＬ−ＭＡＩＴ）と、
・図５に詳しくオーディオタイトルセット・アトリビュートテーブル（ＡＴＳ−ＡＴＲＴ）と、
・テキストデータマネージャ（ＴＸＴＤＴ−ＭＧ）と、
・オーディオマネージャメニューセル（インデックス）アドレステーブル（ＡＭＧＭ−Ｃ−ＡＤＴ）と、
・オーディオマネージャメニュー・オーディオコンテンツブロックユニット・アドレスレスマップ（ＡＭＧＭ−ＡＣＢＵ−ＡＤＭＡＰ）
を有する。
【００２１】
ＡＴＳ−ＡＴＲＴ（オーディオタイトルセット・アトリビュートテーブル）は図５に詳しく示すように、
・オーディオタイトルセットアトリビュートテーブルインフォメーション（ＡＴＳ−ＡＴＲＴＩ）と、
・複数（ｎ）個のＡＴＳの各々のオーディオタイトルセットアトリビュートサーチポインタ（ＡＴＳ−ＡＴＲ−ＳＲＰ＃１〜＃ｎ）と、
・図６に詳しく示すような複数（ｎ）個のＡＴＳの各々のオーディオタイトルセット・アトリビュートデータ（ＡＴＳ−ＡＴＲ−＃１〜＃ｎ）を有する。
【００２２】
オーディオタイトルセット・アトリビュートデータ（ＡＴＳ−ＡＴＲ−＃１〜＃ｎ）の各々は、図６に詳しく示すように
・ＡＴＳ−ＡＴＲ−ＥＡ（エンドアドレス）と、
・ＡＴＳ−ＣＡＴ（カテゴリ）と、
・ＡＴＳ−ＡＴＲＩ（インフォメーション）を有する。
【００２３】
図３に示すＡＴＳＩ（ＡＴＳインフォメーション）は図７に詳しく示すように、
・図８に詳しく示すオーディオタイトルセットインフォメーション・マネージメントテーブル（ＡＴＳＩ−ＭＡＴ）と、
・オーディオタイトルセット・パートオブタイトル・サーチポインタテーブル（ＡＴＳ−ＰＴＴ−ＳＲＰＴ）と、
・オーディオタイトルセット・プログラムチェーンインフォメーションテーブル（ＡＴＳ−ＰＧＣＩＴ）と、
・オーディオタイトルセットメニュー・ＰＧＣＩ・ユニットテーブル（ＡＴＳＭ−ＰＧＣＩ−ＵＴ）と、
・オーディオタイトルセット・タイムマップテーブル（ＡＴＳ−ＴＭＡＰＴ）と、
・オーディオタイトルセットメニュー・セル・アドレステーブル（ＡＴＳＭ−Ｃ−ＡＤＴ）と、
・オーディオタイトルセットメニュー・オーディオコンテンツブロックユニットと、
・アドレスマップ（ＡＴＳＭ−ＡＣＢＵ−ＡＤＭＡＰ）と、
・オーディオタイトルセット・セル・アドレステーブル（ＡＴＳ−Ｃ−ＡＤＴ）と、
・オーディオタイトルセット・オーディオコンテンツブロックユニット・アドレスマップ（ＡＴＳ−ＡＣＢＵ−ＡＤＭＡＰ）を有する。
【００２４】
図７に示すＡＴＳＩ−ＭＡＴ（オーディオタイトルセットインフォメーション・マネージメントテーブル）は図８に詳しく示すように、
・ＡＴＳ−ＩＤ（識別子）と、
・ＡＴＳ−ＥＡ（エンドアドレス）と、
・ＡＴＳＩ−ＥＡと、
・ＶＥＲＮ（ＤＶＤオーディオスペックのバージョン番号）と、
・ＡＴＳ−ＣＡＴ（カテゴリ）と、
・ＡＴＳＩ−ＭＡＴ−ＥＡと、
・ＡＴＳＭ−ＡＣＢＳ−ＳＡ（スタートアドレス）と、
・ＡＴＳＡ−ＡＣＢＳ−ＳＡと、
・ＡＴＳ−ＰＴＴ−ＳＲＰＴ−ＳＡと、
・ＡＴＳ−ＰＧＣＩＴ−ＳＡと、
・ＡＴＳＭ−ＰＧＣＩ−ＵＴ−ＳＡと、
・ＡＴＳ−ＴＭＡＰ−ＳＡと、
・ＡＴＳＭ−Ｃ−ＡＤＴ−ＳＡと、
・ＡＴＳＭ−ＡＣＢＵ−ＡＤＭＡＰ−ＳＡと、
・図９に詳しく示すようなＡＴＳＭ−ＡＳＴ−ＡＴＲ（ＡＴＳＭのオーディオストリーム・アトリビュート）と、
・ＡＴＳ−ＡＳＴ−Ｎｓ（ＡＴＳのオーディオストリームの数）と、
・図１０に詳しく示すようなＡＴＳ−ＡＳＴ−ＡＴＲＴ（ＡＴＳのオーディオストリーム・アトリビュートテーブル）を有する。
【００２５】
ＡＴＳＭ−ＡＳＴ−ＡＴＲは図９に詳しく示すように８バイト（ビットｂ６３〜ｂ０）により構成され、このディスクに記録されている符号化オーディオ信号の属性として次のようなデータ（１）〜（４）が配置される（他のビットは保留）。
（１）オーディオ符号化モード（３ビットｂ６３〜ｂ６１）
０００ｂ：ドルビーＡＣ−３
０１０ｂ：ＭＰＥＧ−１又はＭＰＥＧ−２（拡張ビットストリーム無し）
０１１ｂ：ＭＰＥＧ−２（拡張ビットストリーム有り）
１００ｂ：リニヤＰＣＭオーディオ
１０１ｂ：リニヤＰＣＭオーディオ（２ｃｈ＋５ｃｈ、２ｃｈ＋６ｃｈ、２ｃｈ＋８ｃｈを含む。）
【００２６】
（２）量子化／ＤＲＣ（ダイナミックレンジコントロール）情報（２ビットｂ５５、ｂ５４）
・オーディオ符号化モードが「０００ｂ」の場合には「１１ｂ」
・オーディオ符号化モードが「０１０ｂ」又は「０１１ｂ」の場合、
００ｂ：ＭＰＥＧオーディオストリーム内にダイナミックレンジコントロールデータが存在しない
０１ｂ：ＭＰＥＧオーディオストリーム内にダイナミックレンジコントロールデータが存在する
１０ｂ，１１ｂ：保留
・オーディオ符号化モードが「１００ｂ」、「１０１ｂ」の場合、ステレオ２ｃｈに対して
００ｂ：１６ビット
０１ｂ：２０ビット
１０ｂ：２４ビット
１１ｂ：保留
【００２７】
（３）サンプリング周波数ｆｓ（２ビットｂ５３、ｂ５２）
ステレオ２ｃｈに対して
００ｂ：４８ｋＨｚ
０１ｂ：９６ｋＨｚ
１０ｂ：１９２ｋＨｚ
（４）オーディオチャネル数（３ビットｂ５０〜ｂ４８）
０００ｂ：１ｃｈ（モノラル）
００１ｂ：２ｃｈ（ステレオ）
０１０ｂ：３ｃｈ
０１１ｂ：４ｃｈ
１００ｂ：（ステレオ２ｃｈ＋５ｃｈ）
１０１ｂ：（ステレオ２ｃｈ＋６ｃｈ）
１１０ｂ：７ｃｈ
１１１ｂ：（ステレオ２ｃｈ＋８ｃｈ）
【００２８】
図１０に示すＡＴＳ−ＡＳＴ−ＡＴＲＴ（ＡＴＳのオーディオストリーム・アトリビュートテーブル）は図１１に詳しく示すように、オーディオストリーム＃０〜＃７毎のＡＴＳ−ＡＳＴ−ＡＴＲを有し、ＡＴＳ−ＡＳＴ−ＡＴＲの各々は８バイトで構成されている（合計６４バイト）。
【００２９】
１つのオーディオストリームのＡＴＳ−ＡＳＴ−ＡＴＲは図１１に示すように、図９に示すオーディオタイトルセットメニュー・オーディオストリーム・アトリビュートデータ（ＡＴＳＭ−ＡＳＴ−ＡＴＲ）と同様な８バイト（ビットｂ６３〜ｂ０）で構成され、上記属性データ（１）〜（４）の他に、
（５）マルチチャネル・イクステンション（１ビットｂ６０）と、
（６）オーディオタイプ（２ビットｂ５９、ｂ５８）と、
（７）オーディオアプリケーションモード（２ビットｂ５７、ｂ５６）と、
（８）そのストリーム（ＡＳＴ）の間引き情報（２ビットｂ４７、ｂ４６）と、
（９）ＬＦＥ（Ｌｏｗ　Ｆｒｅｑｕｅｎｃｙ　Ｅｆｆｅｃｔ）１ｃｈのみの間引き情報（２ビットｂ４５、ｂ４４）
の各データを有する。そして、このＤＶＤオーディオディスクの（７）オーディオアプリケーションモードには、
１１ｂ：２ｃｈ＋サラウンドモード
が記録され、また、（８）そのストリームの間引き情報と、（９）ＬＦＥ１ｃｈのみの間引き情報には共に、帯域情報として
００ｂ：フル（１／１）
０１ｂ：ハーフ（１／２）
１０ｂ：クオータ（１／４）
が記録される。
【００３０】
ただし、このＡＴＳＭ−ＡＳＴ−ＡＴＲにおける（４）オーディオチャネル数は、オーディオストリーム＃０では必ず２ｃｈとなり、また、オーディオストリーム＃１はフロントの３ｃｈを含む。すなわち、例えば１つのタイトルのオーディオ信号を２＋６ｃｈで記録する場合、２ｃｈのステレオ信号をオーディオストリーム＃０に割り当て、６ｃｈの内、３ｃｈのフロント信号をオーディオストリーム＃１に割り当て、２ｃｈのリヤ信号とＬＦＥ１ｃｈ信号をオーディオストリーム＃２に割り当てる。そして、図４に示すオーディオマネージャインフォメーション・マネージメントテーブル（ＡＭＧＩ−ＭＡＴ）と図８に示すオーディオタイトルセットインフォメーション・マネージメントテーブル（ＡＴＳＩ−ＭＡＴ）には共に、ストリーム＃０〜＃２の利用データとして「３」が記録される。
【００３１】
また、この２＋６ｃｈのアナログオーディオ信号を例えば次のようなサンプリング周波数ｆｓでサンプリングし、次のような量子化ビット数で量子化して記録する場合、
ステレオ２ｃｈ　　　　：４８ｋＨｚ、２０ビット
フロント３ｃｈ　　　　：９６ｋＨｚ、１６ビット
リヤ２ｃｈ、ＬＦＥ１ｃｈ：４８ｋＨｚ、１６ビット（間引きなし）
図９に示すオーディオタイトルセットメニュー・オーディオストリーム・アトリビュートデータ（ＡＴＳＭ−ＡＳＴ−ＡＴＲ）にはステレオ２ｃｈの属性として
（１）オーディオ符号化モード
１０１ｂ：リニヤＰＣＭオーディオ（２ｃｈ＋５ｃｈ、２ｃｈ＋６ｃｈ、２ｃｈ＋８ｃｈを含む。）
（２）量子化／ＤＲＣ
０１ｂ：２０ビット
（３）サンプリング周波数ｆｓ
００ｂ：４８ｋＨｚ
（４）オーディオチャネル数
１０１ｂ：（ステレオ２ｃｈ＋６ｃｈ）
が記録される。
【００３２】
また、オーディオストリーム＃０のＡＴＳ−ＡＳＴ−ＡＴＲには
（１）オーディオ符号化モード
１０１ｂ：リニヤＰＣＭオーディオ（２ｃｈ＋５ｃｈ、２ｃｈ＋６ｃｈ、２ｃｈ＋８ｃｈを含む。）
（２）量子化／ＤＲＣ
０１ｂ：２０ビット
（３）サンプリング周波数ｆｓ
００ｂ：４８ｋＨｚ
（４）オーディオチャネル数
００１ｂ：２ｃｈ（ステレオ）
（７）オーディオアプリケーションモード
１１ｂ：２ｃｈ＋サラウンドモード
（８）そのストリームの間引き情報
００ｂ：フル（１／１）
（９）ＬＦＥ１ｃｈのみ間引き情報
００ｂ：フル（１／１）
が記録される。
【００３３】
また、オーディオストリーム＃１のＡＴＳ−ＡＳＴ−ＡＴＲには
（１）オーディオ符号化モード
１０１ｂ：リニヤＰＣＭオーディオ（２ｃｈ＋５ｃｈ、２ｃｈ＋６ｃｈ、２ｃｈ＋８ｃｈを含む。）
（２）量子化／ＤＲＣ
００ｂ：１６ビット
（３）サンプリング周波数ｆｓ
０１ｂ：９６ｋＨｚ
（４）オーディオチャネル数
０１０ｂ：３ｃｈ
（７）オーディオアプリケーションモード
１１ｂ：２ｃｈ＋サラウンドモード
（８）そのストリームの間引き情報
００ｂ：フル（１／１）
（９）ＬＦＥ１ｃｈのみ間引き情報
００ｂ：フル（１／１）
が記録される。
【００３４】
また、オーディオストリーム＃２のＡＴＳ−ＡＳＴ−ＡＴＲには
（１）オーディオ符号化モード
１０１ｂ：リニヤＰＣＭオーディオ（２ｃｈ＋５ｃｈ、２ｃｈ＋６ｃｈ、２ｃｈ＋８ｃｈを含む。）
（２）量子化／ＤＲＣ
００ｂ：１６ビット
（３）サンプリング周波数ｆｓ
００ｂ：４８ｋＨｚ
（４）オーディオチャネル数
０１０ｂ：３ｃｈ
（７）オーディオアプリケーションモード
１１ｂ：２ｃｈ＋サラウンドモード
（８）そのストリームの間引き情報
００ｂ：フル（１／１）
（９）ＬＦＥ１ｃｈのみ間引き情報
００ｂ：フル（１／１）
が記録される。
【００３５】
次に、オーディオストリームが記録されるＡパックとその制御パックについて説明する。図１２に示すようにＶＣＢユニットは０．４〜１．０秒分の任意の数のパックにより構成され、ＡＣＢユニットは０．５〜１．０秒分の任意の数のパックにより構成されている。また、ＤＶＤ−オーディオのＡＣＢユニットにおけるＡ−ＣＯＮＴパックは、ＤＶＤ−ビデオのＶＣＢユニットにおける第３パックに配置される。
【００３６】
Ａ−ＣＯＮＴパックは基本的にオーディオ時間の０．５秒単位に配置され、インデックスの切れ目では０．５〜１．０秒の範囲で完結するように配置される。また、オーディオの時間（ＧＯＦ：Ｇｒｏｕｐ　ｏｆ　Ａｕｄｉｏ　Ｆｒａｍｅ単位）はＡ−ＣＯＮＴパックにより示され、そのデータ位置はオーディオフレームナンバと、ファーストアクセスユニットポインタとフレームヘッダの数により決まる。また、Ａ−ＣＯＮＴパック直前のＡパックは、オーディオ時間の０．５秒単位でパディングすることを強制しない。
【００３７】
隣接するＡパックは、オーディオ信号がお互いに関連するように配置され、例えばステレオの場合にはＬチャネルパックとＲチャネルパックが隣接して配置され、また、５／６／８チャネルのマルチチャネルの場合にも同様に隣接して配置される。Ｖパックはオーディオ信号の再生時に映像を表示する場合にそのＡパックに隣接して配置される。ＡパックとＶパックは、図１３に示すように２０３４バイトのユーザデータ（Ａデータ、Ｖデータ）に対して４バイトのパックスタート情報と、６バイトのＳＣＲ（Ｓｙｓｔｅｍ　Ｃｌｏｃｋ　Ｒｅｆｅｒｅｎｃｅ：システム時刻基準参照値）情報と、３バイトのＭｕｘ　レート（ｒａｔｅ）情報と１バイトのスタッフィングの合計１４バイトのパックヘッダが付加されて構成されている（１パック＝合計２０４８バイト）。この場合、タイムスタンプであるＳＣＲ情報を、ＡＣＢユニット内の先頭パックでは「１」として同一タイトル内で連続とすることにより同一タイトル内のＡパックの時間を管理することができる。
【００３８】
これに対し、Ａ−ＣＯＮＴパックは図１４に示すように、１４バイトのパックヘッダと、２４バイトのシステムヘッダと、１００３バイトのＡＣＤ（オーディオキャラクタディスプレイ）パケットと、１００７バイトのＡＳＤ（オーディオサーチデータ）パケットにより構成されている。また、ＡＣＤパケットは６バイトのパケットヘッダと、１バイトのサブストリームＩＤと、図１５に詳しく示すような６３６バイトのＡＣＤ（オーディオキャラクタディスプレイ）情報と、３６０バイトの保留エリアにより構成されている。ＡＳＤパケットは同じく６バイトのパケットヘッダ及び１バイトのサブストリームＩＤと、図１７に詳しく示すような１０００バイトのＡＳＤ（オーディオサーチデータ）により構成されている。
【００３９】
６３６バイトのＡＣＤ情報エリアは、図１５に詳しく示すように４８バイトのジェネラル情報エリアと、第１の言語の文字「１」及び第２の言語の文字「２」毎に２９４バイトのエリアを有し、この各エリアは９３バイトのネームスペースエリア、各々９３バイトの２つのフリースペースエリアと１５バイトのデータポインタエリアにより構成されている。第１の言語の文字「１」と第２の言語の文字「２」の一方のネームスペースエリアには例えば図１６に示すように楽曲名を日本語で表示するためのデータが配置され、他方のネームスペースエリアには英語で表示するためのデータが配置される。なお、この表示言語はディスク発行元が決定してよい。
【００４０】
４８バイトのジェネラル情報は、例えば１６バイトのサービスレベル情報と、１２バイトの言語コード情報と、６バイトの文字セットコード情報と、６バイトの表示アイテム情報と、２バイトの「前のＡＣＤ情報との相違」情報と、６バイトの保留情報により構成される。１６バイトのサービスレベル情報は、表示サイズ、表示の種類、オーディオ／ビデオ／ＳＰの区別、ストリームなどを示し、また、文字はマンダトリー（必須）、ビットマップはオプション（随意）である。１２バイトの言語コード情報はビデオファイルと同様に文字「１」「２」の言語をそれぞれ２バイトで示し、１ファイル中最大８言語分を示す。英語はマンダトリーである。
【００４１】
６バイトの文字セットコード情報は、言語コードに対応した文字コードを最大１５個持つことが可能であり、文字「１」「２」の言語の有無と種類を１バイトで示す。コード例を以下に示す。
１．ＩＳＯ６４６
２．ＩＳＯ８８５９−１
３．ＭＳ−ＪＩＳ
６バイトの表示アイテム情報は、図１５に示すフリースペース「１」「２」、データポインタの有無、ＩＤを示す。ネームスペースはマンダトリーであり、タイトルネーム、ミュージックネーム、アーティストネームは必ず記述する。
【００４２】
１０００バイトのＡＳＤ（オーディオサーチデータ）は、図１７に詳しく示すように１６バイトのジェネラル情報と、８バイトの現在の番号（Ｎｏ．）情報と、１６バイトの現在時刻情報と、８バイトのタイトルセットサーチ情報と、８バイトのタイトルサーチ情報と、４０４バイトのトラックサーチ情報と、４０８バイトのインデックスサーチ情報と、８０バイトのハイライトサーチ情報と、５２バイトの保留エリアにより構成されている。
【００４３】
８バイトの現在の番号情報は、タイトルセットの現在のタイトル番号（２バイト：ＢＣＤ）と、タイトルセットの現在のトラック番号（２バイト：ＢＣＤ）と、トラックの現在のインデックス番号（２バイト：ＢＣＤ）と保留領域（２バイト）により構成されている。１６バイトの現在時刻情報は、トラックのプレイバック時間（４バイト：ＢＣＤ）と、トラックの残りのプレイバック時間（４バイト：ＢＣＤ）と、タイトルの絶対時間（４バイト：ＢＣＤ）とタイトルの残りの絶対時間（４バイト：ＢＣＤ）により構成されている。
【００４４】
８バイトのタイトルセットサーチ情報は、タイトルセットの最初のセクタ番号（４バイト）と、タイトルセットの最後のセクタ番号（４バイト）により構成されている。８バイトのタイトルサーチ情報は、タイトルの最初のセクタ番号（４バイト）と、タイトルの最後のセクタ番号（４バイト）により構成されている。４０４バイトのトラックサーチ情報は、タイトルのトラック及びセクタ番号（４バイト×９９）と、タイトルの最初のトラック番号（４バイト）とタイトルの最後のトラック番号（４バイト）により構成されている。
【００４５】
４０８バイトのインデックスサーチ情報は、トラックのインデックス及びセクタ番号（４バイト×１００）と、トラックの最初のインデックス番号（４バイト）とトラックの最後のインデックス番号（４バイト）により構成されている。８０バイトのハイライトサーチ情報は、トラックのインセクタ番号（４バイト×１０）とトラックのアウトセクタ番号（４バイト×１０）により構成されている。
【００４６】
このようなフォーマットによれば、複数のＡパックの先頭に、ＣＤのＴＯＣ情報のように後続のＡパックのオーディオ信号を管理するためのＡ−ＣＯＮＴパックが配置されるので、オーディオデータはビデオデータなどとは一体化されず、記録容量を多くすることができる。また、Ａ−ＣＯＮＴパックによりオーディオ時間を管理することができ、また、Ａ−ＣＯＮＴパックによりオーディオデータに関する曲名などの簡単な文字情報を取り出すことができる。
【００４７】
また、Ａ−ＣＯＮＴパック内にタイトル、スタートアドレス、演奏時間などのＴＯＣ情報を配置するので、オーディオ再生中であってもユーザの操作に応じた情報をＡ−ＣＯＮＴパックから取り出して再生を開始することができる。また、オーディオマネージャインフォメーション（ＡＭＧＩ）とオーディオタイトルセットインフォメーション（ＡＴＳＩ）内にＴＯＣ情報を配置することにより、必要なＴＯＣ情報を再生装置内のメモリに記憶させて、ユーザの操作に応じた情報をメモリから即座に読み出して再生を開始することができる。また、ＤＶＤ−ビデオにおけるプログラムチェーンインフォメーション（ＰＧＣＩ）のような大きな容量の情報を記憶する必要がないので、ディスクを効率的に管理することができる。
【００４８】
さらに、
１．コンテンツ内に画像（Ｖ）データがない場合、
（１）タイトル、曲、インデックスの３階層に対するサーチ、ランダムアクセスが可能になる。
（２）ＧＯＦ（オーディオフレーム）単位の頭出し、タイムサーチ、ランダムアクセスが可能になる。
（３）タイトル、曲、インデックスの時間を実時間で管理することができる。
【００４９】
また、
２．コンテンツ内に画像（Ｖ）データがある場合、
オーディオデータに関しては、
上記（１）〜（３）の他に、
（４）タイトル、曲中の現在時間、残り時間を実時間で表示、管理することができる。
【００５０】
ビデオデータに関しては、
（１）タイトル、ＰＴＴ、セルの３階層に対するサーチ、ランダムアクセスが可能になる。
（２）ビデオフレーム単位の頭出し、タイムサーチ、ランダムアクセスが可能になる。
（３）タイトル、ＰＴＴ、セルの時間を実時間で管理することができる。
（４）ＰＴＴ又はタイトル中の現在時間、残り時間をビデオフレーム単位時間で表示、管理することができる。
【００５１】
なお、図１（ｂ）のＡＣＢＵは、Ａ−ＣＯＮＴパックとＣＯＮＴパックを含んでいるが、図１８に示すようにＶパックとＣＯＮＴパックは含まないように構成してもよい。この場合にはビデオ信号は記録されないが、オーディオ信号の記録容量が割り増しになる特徴があり、ディスクサイズを小型化することができ、また、再生機能を簡略化することができるのでポータブル用の再生装置に適するものを提供することができる。
【００５２】
次に、図１９を参照して参考例に係る再生装置について説明する。ＤＶＤオーディオディスク１には、上記構造のデータがＥＦＭ変調されてピットの形式で記録されている。操作部１８やリモコン装置１９により曲目選択、再生、早送り、停止操作が行われると、制御部２３はその操作に応じてドライブ装置２と再生装置１７を制御し、再生時にはＤＶＤオーディオディスク１に記録されたピットデータがドライブ装置２により読み取られた後、ＥＦＭ復調される。
【００５３】
再生装置１７では、この信号がＣＯＮＴパック検出部３とＡ−ＣＯＮＴパック検出部９に送られる。ＣＯＮＴパック検出部３はこの再生データ中のＣＯＮＴパックを検出して制御パラメータをパラメータ部８に設定するとともに、ＣＯＮＴパックにより制御されるＶパックをＶパックバッファ４に順次書き込む。Ｖパックバッファ４に書き込まれたＶパック内のユーザデータ（ビデオ信号、サブピクチャ情報）は、バッファ取り出し部５によりＶパック内のＳＣＲ（図１３参照）に基づいてパック順に、また、ＣＯＮＴパック内のＰＴＳ（Ｐｒｅｓｅｎｔａｔｉｏｎ　Ｔｉｍｅ　Ｓｔａｍｐ）に基づいて出力時刻順に取り出され、次いで画像変換部６、Ｄ／Ａ変換　部７、ビデオ出力端子１５、１５’を介してアナログビデオ信号として出力される。
【００５４】
また、Ａ−ＣＯＮＴパック検出部９は再生データ中のＡ−ＣＯＮＴパックを検出して制御パラメータをパラメータ部１４に設定するとともに、Ａ−ＣＯＮＴパックにより制御されるＡパックをＡパックバッファ１０に順次書き込む。Ａパックバッファ１０に書き込まれたＡパック内のユーザデータ（オーディオ信号）は、バッファ取り出し部１１によりＳＣＲに基づいてパック順に、また、Ａ−ＣＯＮＴパック内のオーディオサーチデータＡＳＤの現在時刻（図１７参照）に基づいて出力時刻順に取り出され、次いでＰＣＭ変換部１２、Ｄ／Ａ変換部１３、オーディオ出力端子１６を介してアナログオーディオ信号として出力される。また、Ａ−ＣＯＮＴパック中の表示用データ（図１５、図１６に示すオーディオキャラクタディスプレイ情報ＡＣＤ）は表示信号生成部２０に送られて表示信号が生成され、この表示信号は表示信号出力端子２２を介して出力されたり、内蔵の文字表示部２１に出力される。
【００５５】
図２０は図１９に示す構成を機能的に示すブロック図である。再生手段２は図１９に示すドライブ装置２に対応し、再生信号処理分離手段Ａ（９、１０、１１、１４）はＡ−ＣＯＮＴパック検出部９、Ａパックバッファ１０、バッファ取り出し部１１及びパラメータ部１４に対応し、オーディオ信号出力手段（１２、１３）はＰＣＭ変換部１２及びＤ／Ａ変換部１３に対応し、文字情報出力手段２０は表示信号生成部２０に対応している。また、再生信号処理分離手段Ｖ（３、４、５、８）はＣＯＮＴパック検出部３、Ｖパックバッファ４、バッファ取り出し部５及びパラメータ部８に対応し、ビデオ信号出力手段とサブピクチャ情報出力手段（６、７）は画像変換部６及びＤ／Ａ変換部７に対応している。制御手段２３は制御部２３に対応している。
【００５６】
図２０において、制御手段２３は操作部１８やリモコン装置１９から目的の楽曲を再生するためのコマンド信号が送られてくると、その再生コマンドに応じたアドレス制御情報信号を再生手段２に送ることによりＤＶＤオーディオディスク１から目的の楽曲を再生する。再生信号処理分離手段Ａは再生データを分離してＡ−ＣＯＮＴ情報を制御手段２３に送り、オーディオ信号をオーディオ信号出力手段（１２、１３）に送り、文字情報を文字情報出力手段２０に送る。再生信号処理分離手段Ｖは再生データを分離してＣＯＮＴ情報を制御手段２３に送り、ビデオ信号とサブピクチャ情報をそれぞれビデオ信号手段とサブピクチャ情報出力手段（６、７）に送る。
【００５７】
次に、ＴＯＣ（Ｔａｂｌｅ　Ｏｆ　Ｃｏｎｔｅｎｔｓ）情報を用いた第２の参考例の再生装置　について説明する。図２１に示すように、ＡＭＧＩ（オーディオマネージャインフォメーション）の空きエリアに対して、図２２に詳しく示すようなＴＯＣを追加して記録し、再生装置はこのＴＯＣ情報にアクセスして曲の頭出しを行う。図２２は一例として、ＣＤのリードインエリアに記録されている一般的なＴＯＣ情報を示し、同じ情報が３回繰り返して記録されている。なお、本発明のＤＶＤオーディオディスク１に記録する場合にはこのように繰り返してもよく、また、繰り返さなくてもよい。
【００５８】
ここで、ＣＤにおいて用いられているＴＯＣ情報では、ポイント＝００〜９９のときにその数字で示される各楽章が始まる絶対時間が分（ＰＭＩＮ）、秒（ＰＳＥＣ）及びフレーム（ＰＦＲＡＭＥ）で表される。また、ポイント＝Ａ０のときにＰＭＩＮが最初の楽章を示し、ＰＳＥＣ＝ＰＦＲＡＭＥ＝０となる。ポイント＝Ａ１のときにはＰＭＩＮが最後の楽章を示し、ＰＳＥＣ＝ＰＦＲＡＭＥ＝０となる。ポイント＝Ａ２のときにはリードアウトエリアが始まる絶対時間が分（ＰＭＩＮ）、秒（ＰＳＥＣ）及びフレーム（ＰＦＲＡＭＥ）で表される。したがって、図２２に示すＴＯＣ情報はＤＶＤオーディオディスク１に対して６曲（又は６楽章）分が記録されていることを示している（ポイント＝０１〜０６）。なお、このＴＯＣ情報はＡＭＧＩの代わりに、図２３に示すようにＡＴＳＩ（オーディオタイトルセットインフォメーション）の空きエリアに記録するようにしてもよく、また、図１４に示すＡ−ＣＯＮＴパックのＡＣＤパケット内の保留エリア（３６０バイト分）に記録するようにしてもよい。
【００５９】
そして、このＴＯＣ情報は再生開始時に読み取られて図２４、図２５に示すＴＯＣ情報記憶メモリ１４Ａに記憶され、曲又は楽章の頭出し再生が指定されると、このＴＯＣ情報記憶メモリ１４Ａを参照してＤＶＤオーディオディスク１にアクセスする。なお、このＴＯＣ情報はまた、ＡＭＧＩ、ＡＴＳＩ又はＡ−ＣＯＮＴパックに記録するとともに、さらに、図２６に示すようにＤＶＤオーディオディスク１の最内周部のリードインエリア（図示ＴＯＣ領域１ａ）に追加して記録し、再生開始時にはＴＯＣ検出手段２４がこのＴＯＣ領域１ａを独立してアクセスして、ＴＯＣ情報記憶メモリ１４Ａに記憶するようにしてもよい。なお、このＴＯＣ情報は図２２の構成に準じているがダウンミックスの係数など簡易再生情報を付加しており、これと区別するためにＳＡＰＰ（Ｓｉｍｐｌｅ　Ａｕｄｉｏ　Ｐｌａｙ　Ｐｏｉｎｔｅｒ）と呼ばれることもある。
【００６０】
次に、図２７、図２８を参照してＴＯＣ情報を用いたＡ−Ｖ同期再生処理を説明する。図２７において曲又は楽章の頭出し再生が指定されると、その指定位置に対応するＴＯＣ情報を参照し（ステップＳ１）、次いでそのＴＯＣ情報に基づいてセルとインデックスの場所を計算する（ステップＳ２）。次いでその場所をサーチし（ステップＳ３）、確認すると図２８に詳しく示すようなＡとＶの同期再生を行う（ステップＳ４→Ｓ５）。
【００６１】
図２８において、ＣＯＮＴパックを再生し（ステップＳ１１）、次いでＡ−ＣＯＮＴパックを再生し（ステップＳ１２）、次いでＣＯＮＴパックとＡ−ＣＯＮＴパック内の時刻情報が同一時刻か否かをチェックする（ステップＳ１３）。そして、同一時刻でない場合にはＣＯＮＴパックとＡ−ＣＯＮＴパックの両方を±１パック分だけ調整し（ステップＳ１４）、次いでステップＳ１１に戻ってそのＣＯＮＴパックとＡ−ＣＯＮＴパックを再生する。なお、ステップＳ１４では、ＣＯＮＴパックとＡ−ＣＯＮＴパックの一方を±１パック分だけ調整して、そのパックを再生するようにしてもよい。
【００６２】
ステップＳ１３においてＣＯＮＴパックとＡ−ＣＯＮＴパック内の時刻情報が同一の場合に、そのＡ−ＣＯＮＴパックにより制御されるＡパックを再生するとともにＡパックアドレス（ＳＣＲ情報）を１つインクリメントし（ステップＳ１５）、次いでそのＣＯＮＴパックにより制御されるＶパックを再生するとともにＶパックアドレス（ＳＣＲ情報）を１つインクリメントする（ステップＳ１６）。次いでそのＡパックの再生が終了したか否かをチェックし（ステップＳ１７）、終了していない場合にはステップＳ１８に進み、他方、終了した場合にはステップＳ２０に進む。
【００６３】
ステップＳ１８ではそのＶパックの再生が終了したか否かをチェックし、終了していない場合にはステップＳ１３に戻り、他方、終了した場合にはステップＳ１９に進む。ステップＳ１９ではそのＣＯＮＴパックにより制御される次のＶパックを再生するとともにＶパックアドレスを１つインクリメントし、ステップＳ１３に戻る。ステップＳ２０ではそのＡ−ＣＯＮＴパックにより制御される次のＡパックを再生するとともにＡパックアドレスを１つインクリメントし、次いでＶパックの再生が終了したか否かをチェックし（ステップＳ２１）、終了していない場合にはステップＳ２２に進み、他方、終了した場合にはステップＳ２３に進む。
【００６４】
ステップＳ２２ではそのＡ−ＣＯＮＴパックにより制御されるＡパックが最終パックか否かをチェックし、最終パックでない場合にはステップＳ１６に戻り、他方、最終パックの場合にはステップＳ１２に戻って次のＡ−ＣＯＮＴパックを再生する。ステップＳ２３ではそのＣＯＮＴパックにより制御される次のＶパックを再生するとともにＶパックアドレスを１つインクリメントし、次いでフレームの終了（ＥＯＦ）が否かをチェックし（ステップＳ２４）、ＥＯＦでない場合にはステップＳ１３に戻り、他方、ＥＯＦの場合にはこのＡ−Ｖ同期再生処理を終了する。このように、パックに収められたオーディオデータＡとビデオデータＶは、ＣＯＮＴパックとＡ−ＣＯＮＴ内の時間管理情報に基づいて切れ目なく同期して再生される。
【００６５】
次に、第４の参考例について説明する。図２９は本発明に係るＤＶＤオーディオディスクの第４の実参考例のフォーマットを示し、図３１ないし図３３に示すようなＶＴＳは含まず、ＡＴＳのみにより構成されている。そして、このＡＴＳは図１（ｂ）に示すオーディオマネージャ（ＡＭＧ）と、ビデオ及びオーディオのオーディオマネージャメニュー（ＡＭＧＭ）と、ＡＭＧ内のＡＭＧＩにより管理されるＡＴＳ＜１＞及びＡＴＳ＜２＞により構成され、また、ＡＴＳ＜１＞及びＡＴＳ＜２＞は図３０に示すように、Ａ−ＣＯＮＴパックを含まず、Ａパックと静止画パックにより構成されている。また、この静止画パックはＡパックに対して多く配置されず、１トラック当たり１パック程度が配置される。
【００６６】
ここで、参考までに、図３１はＤＶＤ−Ｖａｎ（ビデオ＋オーディオナビゲーション）ディスクのフォーマットを示し、このフォーマットは概略的にはＤＶＤ−ビデオデータとしてビデオタイトルセット（ＶＴＳ）と、オーディオナビ（ナビゲーション）データとしてＡＮＶタイトルセット（ＡＮＶ−ＴＳ）により構成されている。また、詳しくは、ＶＴＳは図１（ａ）及び後述する図３２に示すＤＶＤビデオディスクと同じ構成であり、他方、ＡＮＶ−ＴＳは図１（ｂ）に示すオーディオマネージャ（ＡＭＧ）と、ＶＴＳ側のＶＴＳ＜１＞及びＶＴＳ＜２＞とそれぞれ対を成してＡＭＧ内のＡＭＧＩにより管理されるＡＴＳ＜１＞及びＡＴＳ＜２＞により構成されている。
また、ＤＶＤビデオディスクのフォーマットは図３２及び図１（ａ）に示すようにＡＴＳやＡＮＶ−ＴＳを含まず、ＶＴＳのみにより構成されている。
【００６７】
また、図３３はＤＶＤ−Ａｖｄ（オーディオ＋ＡＶデータ）ディスクのフォーマットを示し、このフォーマットは概略的にＤＶＤ−ビデオデータとしてビデオタイトルセット（ＶＴＳ）と、ＤＶＤ−オーディオデータとしてオーディオタイトルセット（ＡＴＳ）により構成されている。また、詳しくは、ＶＴＳは図１（ａ）に示すビデオマネージャ（ＶＭＧ）と、ビデオ及びオーディオのビデオマネージャメニュー（ＶＭＧＭ）と、ＶＭＧ内のＶＭＧＩにより管理されるＶＴＳ＜１＞により構成されている。
他方、ＡＴＳは図１（ｂ）に示すオーディオマネージャ（ＡＭＧ）と、ビデオ及びオーディオのオーディオマネージャメニュー（ＡＭＧＭ）と、ＶＴＳ側のＶＴＳ＜１＞内のオーディオデータと対を成し、かつＡＭＧ内のＡＭＧＩにより管理されるＡＴＳ＜１＞と、ＶＴＳ側とは対をなさず、同じくＡＭＧ内のＡＭＧＩにより管理されるＡＴＳ＜２＞により構成されている。また、このＡＴＳ＜２＞は図３０に示すように、Ａ−ＣＯＮＴパックを含まず、Ａパックと静止画パックにより構成されている。
【００６８】
図３４は第４の参考例のディスクのオーディオデータの内容を示す属性データとしてディスクに記録されるオーディオ・オンリ・タイトル・オーディオ・オブジェクト・アトリビュート（ＡＯＴＴ−ＡＯＢ−ＡＴＲ）を示している。この属性データは８バイト（６４ビットｂ６３〜ｂ０）により構成され、ＭＳＢ側から順に詳しく説明すると
・４ビット（ｂ６３〜ｂ６０）のオーディオ符号化モードと、
・１ビット（ｂ５９）のダウンミックス（Ｄ−Ｍ）モードと、
・３ビット（ｂ５８〜ｂ５６）のマルチチャネル構造と、
・４ビット（ｂ５５〜ｂ５２）のチャネルグループ１の量子化ビット数Ｑ１と、
・４ビット（ｂ５１〜ｂ４８）のチャネルグループ２の量子化ビット数Ｑ２と、
・４ビット（ｂ４７〜ｂ４４）のチャネルグループ１のサンプリング周波数ｆｓ１と、
・４ビット（ｂ４３〜ｂ４０）のチャネルグループ２のサンプリング周波数ｆｓ２と、
・３ビット（ｂ３９〜ｂ３７）の保留領域と、
・５ビット（ｂ３６〜ｂ３２）のチャネル割り当てと、
・残り３２ビット（ｂ３１〜ｂ０）の保留領域により構成されている。なお、残りの３２ビット（ｂ３１〜ｂ０）は各チャネルの属性データ用として用いられる。
【００６９】
上記データを以下に更に詳しく説明する。
（１）オーディオ符号化モード（ｂ６３〜ｂ６０）
００００ｂ：リニアＰＣＭモード
０００１ｂ：圧縮オーディオ（ドルビーデジタル）用に保留
００１０ｂ：圧縮オーディオ（ＭＰＥＧ２拡張無し）用に保留
００１１ｂ：圧縮オーディオ（ＭＰＥＧ２拡張有り）用に保留
０１００ｂ：圧縮オーディオ（ＤＴＳ）用に保留
０１０１ｂ：圧縮オーディオ（ＳＤＤＳ）用に保留
その他　　：その他の符号化モード用に保留
（２）ダウンミックスモード（ｂ５９）
０ｂ：ダウンミックスステレオ出力許可
１ｂ：ダウンミックスステレオ出力禁止
（３）マルチチャネル構造のタイプ（ｂ５８〜ｂ５６）
０００ｂ：タイプ１
その他　：保留
【００７０】
（４）チャネルグループ１の量子化ビット数Ｑ（ｂ５５〜ｂ５２）
００００ｂ：１６ビット
０００１ｂ：２０ビット
００１０ｂ：２４ビット
その他　：保留
（５）チャネルグループ２の量子化ビット数Ｑ（ｂ５１〜ｂ４８）
・チャネルグループ１の量子化ビット数Ｑが「００００ｂ」の場合には「００００ｂ」
・チャネルグループ１の量子化ビット数Ｑが「０００１ｂ」の場合には「００００ｂ」又は「０００１ｂ」
・チャネルグループ１の量子化ビット数Ｑが「００１０ｂ」の場合には「００００ｂ」、「０００１ｂ」又は「００１０ｂ」
ただし、００００ｂ：１６ビット
０００１ｂ：２０ビット
００１０ｂ：２４ビット
その他　　：保留
【００７１】
（６）チャネルグループ１のサンプリング周波数ｆｓ１（ｂ４７〜ｂ４４）
００００ｂ：４８ｋＨｚ
０００１ｂ：９６ｋＨｚ
００１０ｂ：１９２ｋＨｚ
１０００ｂ：４４．１ｋＨｚ
１００１ｂ：８８．２ｋＨｚ
１０１０ｂ：１７６．４ｋＨｚ
その他　　：保留
【００７２】
（７）チャネルグループ２のサンプリング周波数ｆｓ２（ｂ４３〜ｂ４０）
・チャネルグループ１のサンプリング周波数ｆｓ１が「００００ｂ」の場合には「００００ｂ」
・チャネルグループ１のサンプリング周波数ｆｓ１が「０００１ｂ」の場合には「００００ｂ」又は「０００１ｂ」
・チャネルグループ１のサンプリング周波数ｆｓ１が「００１０ｂ」の場合には「００００ｂ」、「０００１ｂ」又は「００１０ｂ」
・チャネルグループ１のサンプリング周波数ｆｓ１が「１０００ｂ」の場合には「１０００ｂ」
・チャネルグループ１のサンプリング周波数ｆｓ１が「１００１ｂ」の場合には「１０００ｂ」又は「１００１ｂ」
・チャネルグループ１のサンプリング周波数ｆｓ１が「１０１０ｂ」の場合には「１０００ｂ」、「１００１ｂ」又は「１０１０ｂ」
【００７３】
この第４の参考例のディスクではリニアＰＣＭモードが使用される。リニアＰＣＭのプライベートヘッダは、図３５に示すように
・８ビットのサブストリームＩＤと、
・４ビットの保留領域と、
・４ビットのＩＳＲＣ番号と、
・８ビットのＩＳＲＣデータと、
・８ビットのプライベートヘッダ長と、
・１６ビットの第１アクセスユニットポインタと、
・１ビットのオーディオ・エンファシス・フラグＦ１と、
・１ビットのオーディオ・エンファシス・フラグＦ２などにより構成されている。
【００７４】
そして、オーディオ・エンファシス・フラグＦ１は、サンプリング周波数ｆｓが９６ｋＨｚ又は８８．２ｋＨｚの場合には「エンファシス・オフ」（＝０ｂ）が記述され、他の場合には「エンファシス・オン」（＝１ｂ）が記述される。また、オーディオ・エンファシス・フラグＦ２は、サンプリング周波数ｆｓが１９２ｋＨｚ又は１７６．４ｋＨｚの場合には「エンファシス・オフ」（＝０ｂ）が記述され、他の場合には「エンファシス・オン」（＝１ｂ）が記述される。
【００７５】
次に図３６〜図３９を参照してこの第４の参考例の再生装置の再生処理を説明する。まず、図３６において、再生した信号がオーディオタイトルセット（ＡＴＳ）単独のデータであるか、又は静止画のデータの両方を有するか否かを判断し（ステップＳ５００）、単独データの場合にはＡＴＳのみの再生を行い（ステップＳ５０１）、他方、両方を有する場合にはＡＴＳと静止画の再生を行う（ステップＳ５０２）。
【００７６】
図３７では、まず、４８ｋＨｚの倍数である第１のサンプリング周波数か、又は４４．１ｋＨｚの倍数である第２のサンプリング周波数かを判断し（ステップＳ６００）、第１のサンプリング周波数の場合にはフレーム速度を第１のフレーム速度（１／６００秒）にセットし（ステップＳ６０１）、他方、第２のサンプリング周波数の場合にはフレーム速度を第２のフレーム速度（１／５５１．２５秒）にセットする（ステップＳ６０２）。また、このとき、判断したサンプリング周波数を表示するようにしてもよい（ステップＳ６０３）。
【００７７】
図３８において、まず、サンプリング周波数ｆｓが１９２ｋＨｚか否かを判断し（ステップＳ７００）、１９２ｋＨｚの場合にはエンファシス回路をオフにする（ステップＳ７０３）。　また、１９２ｋＨｚでない場合にはオーディオ・エ　ンファシス・フラグがオンか否かを判断し（ステップＳ７０１）、オンの場合にはエンファシス回路をオンにし（ステップＳ７０２）、他方、オンでない場合にはステップＳ７０３に進んでエンファシス回路をオフにする。
【００７８】
図３９において、まず、サンプリング周波数ｆｓが１７６．４ｋＨｚか否かを判断し（ステップＳ８００）、１７６．４ｋＨｚの場合にはエンファシスフィルタ動作をオフにする（ステップＳ８０３）。　また、１７６．４ｋＨｚでない場合にはオーディオ・エンファシス・フラグがオンか否かを判断し（ステップＳ８０１）、オンの場合にはエンファシスフィルタ動作をオンにし（ステップＳ８０２）、他方、オンでない場合にはステップＳ８０３に進んでエンファシス回路をオフにする。
【００７９】
図４０、図４１はエンコード装置を示す。図４０は参考例に係るオーディオ信号のエンコード装置の一実施形態を示すブロック図、図４１は図４０の信号処理回路を詳細に示すブロック図である。
【００８０】
図４０においてアナログオーディオ信号ＡはＡ／Ｄコンバータ３１により十分高いサンプリング周波数（サンプリング周期Δｔ）、例えば１９２ｋＨｚでサンプリングされて、例えば２４ビットの高分解能のＰＣＭ信号に変換され、高分解能の曲線αに対応するデータ列
ｘｂ１，ｘ１　，ｘａ１，ｘ２，ｘｂ２，ｘ３，ｘａ２，・・・，ｘｂｉ，ｘ２ｉ−１，ｘａｉ，ｘ２ｉ，・・・
に変換される。このデータ列（ｘｂｉ，ｘ２ｉ−１，ｘａｉ，ｘ２ｉ）は図４１に詳しく示す信号処理回路３２及びメモリ３３によりエンコードされ、次いでＤＶＤオーディオフォーマット化部３４に印加される。
【００８１】
図４１を参照して信号処理回路３２の構成を詳しく説明する。まず、１／２の帯域を通過させるローパスフィルタ３６、例えばＦＩＲフィルタにより、高分解能の曲線αに対応するデータ列（ｘｂｉ，ｘ２ｉ−１，ｘａｉ，ｘ２ｉ）から、帯域制限された低分解能の曲線βに対応するデータ列
ｘｃ１，＊，＊，＊，ｘｃ２，＊，＊，＊，ｘｃ３，＊，＊，＊，・・・，ｘｃｉ，＊，＊，＊，・・・
を得、次にこのデータ列の内、データ「＊」を間引き回路３７により間引くことによりデータ列
ｘｃ１，ｘｃ２，ｘｃ３，・・・，ｘｃｉ，・・・
を生成する。ここで、データ列ｘｃｉはＡ／Ｄコンバータ３１によりＡ／Ｄ変換されたデジタルデータを帯域制限してサンプリング周波数を１／４に低減したデータ列となっている。
【００８２】
また、データ列（ｘｂｉ，ｘ２ｉ−１，ｘａｉ，ｘ２ｉ）の内、データｘｉ　を間引き回路３８により間引くことによりデータ列
ｘｂ１，ｘａ１，ｘｂ２，ｘａ２，・・・，ｘｂｉ，ｘａｉ，・・・
を生成する。
【００８３】
そして、これらのデータ列ｘｃｉ、ｘｂｉ、ｘａｉに基づいて、差分計算器として作用する加算器３９により差分
ｘｂｉ−ｘｃｉ＝Δ１ｉ
ｘａｉ−ｘｃｉ＝Δ２ｉ
を演算する。ここで、差分データΔ１ｉ、Δ２ｉは、例えば２４ビット又はそれ以下であり、また、ビット数は固定でも可変でもよい。
【００８４】
アロケーション回路４０はデータ列ｘｃｉ及び差分データΔ１ｉ、Δ２ｉをユーザデータ（図１３参照）にパッキングし（１パケット＝２０３４バイト）、そのユーザデータをＤＶＤフォーマット化部３４に出力する。
【００８５】
また、ビデオ信号ＶはＡ／Ｄ変換器３１Ｖによりデジタル信号に変換され、次いでこのデジタルビデオ信号がＶエンコーダ３２ＶによりＭＰＥＧフォーマットにエンコードされ、次いで図１３に示すユーザデータにパッキングされてＤＶＤフォーマット化部３４に印加される。そしてＤＶＤフォーマット化部３４は、例えば図１〜図１８に示すようなフォーマットにパッキングする。このＤＶＤフォーマット化部３４によりフォーマット化されたデータは、変調回路３５によりディスクに応じた変調方式で変調され、この変調データに基づいてディスクが製造される。
【００８６】
次に図４２〜図８２を参照して本発明の実施形態のＤＶＤ−オーディオディスクについて説明する。まず、図４２（Ａ）に示すようにこの第５の実施形態のデータ構造は、概略的にＡＭＧ（オーディオマネージャ）と、図４９に詳しく示すＳＰＳ（スチルピクチャセット）と複数のＡＴＳ（オーディオ・タイトルセット）を有する。ＡＴＳは、先頭から順に
・ＡＴＳＩ（ＡＴＳインフォメーション）と、
・図４３〜図４８に詳しく示すオーディオ・オンリ・タイトル用のオーディオ・オブジェクト・セット（ＡＯＴＴ−ＡＯＢＳ）と
・バックアップ用のＡＴＳＩにより構成されている。
【００８７】
ＡＴＳＩは先頭から順に
・図５０〜図５５に詳しく示すＡＴＳＩ−ＭＡＴ（ＡＴＳＩマネージメント・テーブル）と
・図５６〜図６８に詳しく示すＡＴＳ−ＰＧＣＩＴ（ＡＴＳプログラム・チェーン・インフォメーション・テーブル）により構成されている。
【００８８】
ＡＯＴＴ−ＡＯＢＳは図４３に詳しく示すように、複数のオーディオ・オンリ・タイトル用のオーディオ・オブジェクト（ＡＯＴＴ−ＡＯＢ）により構成されている。ＡＯＴＴ−ＡＯＢの各々は複数のプログラム（ＰＧ）により構成され、プログラムの各々は複数のセル（ＡＴＳ−Ｃ）により構成されている。
ＡＯＴＴ−ＡＯＢは、オーディオデータのみを含むものと、オーディオデータ及びリアル・タイム・インフォメーション・データ（ＲＴＩデータ）を含むものの２種類のＡＯＴＴ−ＡＯＢにより構成されている。そして、１枚のディスク中や１曲中に１種類以上のＡＯＴＴ−ＡＯＢが配置される。
【００８９】
オーディオデータのみを含む第１のＡＯＴＴ−ＡＯＢの各プログラムは複数のオーディオセル（ＡＴＳ−Ｃ）により構成され、このオーディオセルは複数のオーディオパックのみにより構成されている。
【００９０】
オーディオデータ及びＲＴＩデータを含む第２のＡＯＴＴ−ＡＯＢの各プログラムは複数のオーディオセル（ＡＴＳ−Ｃ）により構成され、このオーディオセルは２番目のパック位置に配置されたＲＴＩパックと、他のパック位置に配置されたオーディオパックにより構成されている。
【００９１】
リニアＰＣＭのＡパックは２０４８バイト以下で構成され、その内訳は図４４に示すように１４バイトのパックヘッダとＡパケットにより構成されている。Ａパケットは１７、９又は１４バイトのパケットヘッダと、図４５に詳しく示すプライベートヘッダと、１ないし２０１１バイトのオーディオデータ（リニアＰＣＭ）により構成されている。
【００９２】
プライベートヘッダは、図４５に示すように
・８ビットのサブストリームＩＤと、
・３ビットの保留領域と、
・５ビットのＵＰＣ／ＥＡＮ−ＩＳＲＣ（Ｕｎｉｖｅｒｓａｌ　Ｐｒｏｄｕｃｔ　Ｃｏｄｅ／Ｅｕｒｏｐｅａｎ　Ａｒｔｉｃｌｅ　Ｎｕｍｂｅｒ−Ｉｎｔｅｒｎａｔｉｏｎａｌ　Ｓｔａｎｄａｒｄ　Ｒｅｃｏｒｄｉｎｇ　Ｃｏｄｅ）番号と、
・８ビットのＵＰＣ／ＥＡＮ−ＩＳＲＣデータと、
・８ビットのプライベートヘッダ長と、
・１６ビットの第１アクセスユニットポインタと、
・８バイトのオーディオデータインフォメーション（ＡＤＩ）と
・０〜８バイトのスタッフィングバイト
により構成されている。
【００９３】
ＡＤＩは
・１ビットのオーディオ・エンファシス・フラグと、
・１ビットの保留領域と、
・１ビットのダウンミックスモードと、
・１ビットのダウンミックスコード有効性と、
・４ビットのダウンミックスコードと、
・４ビットのグループ「１」の量子化ワード長「１」と、
・４ビットのグループ「２」の量子化ワード長「２」と、
・４ビットのグループ「１」のオーディオ・サンプリング周波数ｆｓ１と、
・４ビットのグループ「２」のオーディオ・サンプリング周波数ｆｓ２と、
・４ビットの保留領域と、
・４ビットのマルチチャネルタイプと、
・３ビットのチャネルグループ「２」のビットシフトデータ（図４７参照）と
・５ビットのチャネル割り当て情報（図５３参照）と、
・８ビットのダイナミックレンジ制御情報
・８×２ビットの保留領域
により構成されている。
【００９４】
８ビット（ｂ７〜ｂ０）のＵＰＣ／ＥＡＮ−ＩＳＲＣデータエリアには、図４６に示すようにＵＰＣ／ＥＡＮ−ＩＳＲＣ番号に応じて異なるデータが配置される。すなわち、
（１）ＵＰＣ／ＥＡＮ−ＩＳＲＣ番号＝１の場合
上位２ビットｂ７、ｂ６：保留
下位６ビットｂ５〜ｂ０：カントリコード（ＩＳＲＣ＃１）
（２）ＵＰＣ／ＥＡＮ−ＩＳＲＣ番号＝２の場合
上位２ビットｂ７、ｂ６：保留
下位６ビットｂ５〜ｂ０：カントリコード（ＩＳＲＣ＃２）
（３）ＵＰＣ／ＥＡＮ−ＩＳＲＣ番号＝３の場合
上位２ビットｂ７、ｂ６：保留
下位６ビットｂ５〜ｂ０：コピーライト・ホルダコード（ＩＳＲＣ＃３）
（４）ＵＰＣ／ＥＡＮ−ＩＳＲＣ番号＝４の場合
上位２ビットｂ７、ｂ６：保留
下位６ビットｂ５〜ｂ０：コピーライト・ホルダコード（ＩＳＲＣ＃４）
（５）ＵＰＣ／ＥＡＮ−ＩＳＲＣ番号＝５の場合
上位２ビットｂ７、ｂ６：保留
下位６ビットｂ５〜ｂ０：コピーライト・ホルダコード（ＩＳＲＣ＃５）
（６）ＵＰＣ／ＥＡＮ−ＩＳＲＣ番号＝６の場合
上位４ビットｂ７〜ｂ４：保留
下位４ビットｂ３〜ｂ０：レコーディング・イヤー（ＩＳＲＣ＃６）
（７）ＵＰＣ／ＥＡＮ−ＩＳＲＣ番号＝７の場合
上位４ビットｂ７〜ｂ４：保留
下位４ビットｂ３〜ｂ０：レコーディング・イヤー（ＩＳＲＣ＃７）
【００９５】
Ａパック内の実データであるリニヤＰＣＭデータのエリアには、Ｓ／Ｎ比の向上とビット削減のためにグループ「２」の各チャネルのデータのビットが削減されて配置される。図４７（ａ）は一例として６チャネル（グループ「１」＝Ｃｈ１〜Ｃｈ３、グループ「２」＝Ｃｈ４〜Ｃｈ６）のＰＣＭデータを示し、レベル範囲がＭＡＸ＝０ｄＢ〜ＭＩＮ＝−１４４ｄＢ（２４ビット）であって、各チャネルＣｈの値が以下の通りである。
Ｌｍａｘ２＞Ｌｍａｘ１＝Ｌｍａｘ３＞Ｌｍａｘ４＞Ｌｍａｘ５＞Ｌｍａｘ６
そして、グループ「１」のＣｈ１〜Ｃｈ３のワード長はそのままにして、この例ではＣｈ２の値が最も大きいので、グループ「２」のＣｈ４〜Ｃｈ６の各レベルを（０−Ｌｍａｘ２）ｄＢだけアップシフトしてＬＳＢ側０〜４ビットを削減する。なお、図４７に示す例ではＣｈ４〜Ｃｈ６の各レベルが最大ビット数＝４だけアップシフトされて２０ビットに削減されたことを示している。
【００９６】
次に図４８を参照してＲＴＩパックの構成を詳しく説明する。このパックは１４バイトのパックヘッダとＲＴＩパケットにより構成され、ＲＴＩパケットは１７又は１４バイトのパケットヘッダと、プライベートヘッダと、１ないし２０１５バイトのＲＴＩデータにより構成されている。ＲＴＩデータはオーディオデータに関する文字情報や再生制御情報である。
【００９７】
ＲＴＩパケットのプライベートヘッダは、
・１バイトのサブストリームＩＤと、
・２バイトのＵＰＣ／ＥＡＮ−ＩＳＲＣ番号及びデータ（図ではこれらを単にＩＳＲＣと表記）と、
・１バイトのプライベートヘッダ長と、
・１バイトのＲＴＩ情報ＩＤと、
・０〜７バイトのスタッフィングバイト
により構成されている。
上記ＵＰＣ／ＥＡＮ−ＩＳＲＣ番号及びデータは、ＳＰＣＴパックに収められるスチルピクチャの著作権に関するＵＰＣ／ＥＡＮ−ＩＳＲＣ番号及びデータである。
【００９８】
ＳＰＳ（スチルピクチャセット）は図４９（Ａ）に示すように、ＳＰアドレス情報（ＳＰＡＩ）と複数のＳＰＵ（スチルピクチャユニット）＃１〜＃ｎを有し、ＳＰＵ＃１〜＃ｎの各々は複数のＳＰ＃１〜＃ｎを有し、さらに、複数のＳＰ＃１〜＃ｎの各々は複数のＳＰＣＴ（スチルピクチャ）パックを有する。ＳＰＣＴパックは図４９（Ｂ）に詳しく示すように、１４バイトのパックヘッダとＳＰＣＴパケットにより構成され、ＳＰＣＴパケットは２２又は１９又は９バイトのパケットヘッダと２０１５バイト以下のＳＰＣＴデータにより構成されている。ここで、１枚の静止画はＭＰＥＧ１又はＭＰＥＧ２方式で圧縮されてＩピクチャとイントラ・コーデッド・ピクチャにより構成され、１つのピクチャセル内で分割されてＳＰＣＴパックのＳＰＣＴデータとして配置される。
ＳＰＣＴパックのパケットヘッダ内にＲＴＩパックで説明したようにスチルピクチャの著作権に関するＵＰＣ／ＥＡＮ−ＩＳＲＣ番号及びデータを含めてもよい。
【００９９】
図４２（Ａ）に示したＡＴＳＩ−ＭＡＴは、図５０に詳しく示すように２０４８バイト（リラティブ・バイト・ポジションＲＢＰ０〜２０４７）で構成され、先頭から順に
・１２バイト（ＲＢＰ０〜１１）のＡＴＳ識別子（ＡＴＳ−ＩＤ）と、
・４バイト（ＲＢＰ１２〜１５）のＡＴＳのエンドアドレス（ＡＴＳ−ＥＡ）と、
・１２バイト（ＲＢＰ１６〜２７）の保留領域と、
・４バイト（ＲＢＰ２８〜３１）のＡＴＳＩのエンドアドレス（ＡＴＳＩ−ＥＡ）と、
・２バイト（ＲＢＰ３２〜３３）のバージョン番号（ＶＥＲＮ）と、
・９４バイト（ＲＢＰ３４〜１２７）の保留領域と、
・４バイト（ＲＢＰ１２８〜１３１）のＡＴＳＩ−ＭＡＴのエンドアドレスと、
・６０バイト（ＲＢＰ１３２〜１９１）の保留領域と、
・４バイト（ＲＢＰ１９２〜１９５）のＡＯＴＴ用のＶＴＳのスタートアドレスと、
・４バイト（ＲＢＰ１９６〜１９９）のＡＯＴＴ用のＡＯＢＳのスタートアドレス又はＡＯＴＴ用のＶＯＢＳのスタートアドレスと、
・４バイト（ＲＢＰ２００〜２０３）の保留領域と、
・４バイト（ＲＢＰ２０４〜２０７）のＡＴＳ−ＰＧＣＩＴのスタートアドレスと、
・４８バイト（ＲＢＰ２０８〜２５５）の保留領域と、
・１２８（１６×８）バイト（ＲＢＰ２５６〜３８３）のＡＯＴＴ用のＡＯＢのアトリビュート（ＡＯＴＴ−ＡＯＢ−ＡＴＲ）又はＡＯＴＴ用のＶＯＢのオーディオストリームのアトリビュート（ＡＯＴＴ−ＶＯＢ−ＡＳＴ−ＡＴＲ）と、
・２８８（１８×８）バイト（ＲＢＰ３８４〜６６１）の、マルチチャネルオーディオデータを２チャネルにダウンミックスするための係数（ＡＴＳ−ＤＭ−ＣＯＥＦＴ＃０〜＃１５）と、
・３２バイト（ＲＢＰ６７２〜７０３）の保留領域と、
・２バイト（ＲＢＰ７０４〜７０５）の、ＡＯＴＴ用のＡＯＢＳにおけるスチルピクチャデータのアトリビュート（ＡＴＳ−ＳＰＣＴ−ＡＴＲ）と、
・１３４２バイト（ＲＢＰ７０６〜２０４７）の保留領域により構成されている。
【０１００】
１２８（１６×８）バイト（ＲＢＰ２５６〜３８３）のエリアには、このＡＴＳがＡＯＴＴ用のＡＯＢＳを有する場合には、図５１に詳しく示すＡＯＴＴ−ＡＯＢ−ＡＴＲが記述される。このＡＯＴＴ−ＡＯＢ−ＡＴＲ（ｂ１２７〜ｂ０）は、ＭＳＢ側から順に
・８ビット（ｂ１２７〜ｂ１２０）のオーディオ符号化モードと、
・８ビット（ｂ１１９〜ｂ１１２）の保留領域と、
・４ビット（ｂ１１１〜ｂ１０８）のチャネルグループ「１」の量子化ビット数Ｑ１と、
・４ビット（ｂ１０７〜ｂ１０４）のチャネルグループ「２」の量子化ビット数Ｑ２と、
・４ビット（ｂ１０３〜ｂ１００）のチャネルグループ「１」のサンプリング周波数ｆｓ１と、
・４ビット（ｂ９９〜ｂ９６）のチャネルグループ「２」のサンプリング周波数ｆｓ２と、
・３ビット（ｂ９５〜ｂ９３）のマルチチャネル構造のタイプと、
・５ビット（ｂ９２〜ｂ８８）のチャネル割り当てと、
・８ビット×１１（ｂ８７〜ｂ０）の保留領域により構成されている。
【０１０１】
これに対し、このＡＴＳがＡＯＴＴ用のＡＯＢＳを有しない場合には、図５２に示すＡＯＴＴ−ＶＯＢ−ＡＳＴ−ＡＴＲが記述される。このＡＯＴＴ−ＶＯＢ−ＡＳＴ−ＡＴＲ（ｂ１２７〜ｂ０）は、ＭＳＢ側から順に
・８ビット（ｂ１２７〜ｂ１２０）のオーディオ符号化モードと、
・８ビット（ｂ１１９〜ｂ１１２）の保留領域と、
・４ビット（ｂ１１１〜ｂ１０８）の量子化ビット数Ｑと、
・４ビット（ｂ１０７〜ｂ１０４）の保留領域と、
・４ビット（ｂ１０３〜ｂ１００）のサンプリング周波数ｆｓと、
・４ビット（ｂ９９〜ｂ９６）の保留領域と、
・３ビット（ｂ９５〜ｂ９３）のマルチチャネル構造のタイプと、
・５ビット（ｂ９２〜ｂ８８）のチャネル割り当てと、
・３ビット（ｂ８７〜ｂ８５）のデコーディング・オーディオ・ストリーム数と、
・５ビット（ｂ８４〜ｂ８０）の保留領域と、
・２ビット（ｂ７９、ｂ７８）のＭＰＥＧオーディオ用ＤＲＣと、
・２ビット（ｂ７７、ｂ７６）の保留領域と、
・４ビット（ｂ７５〜ｂ７２）の圧縮オーディオチャネル数と、
・８ビット×９（ｂ７１〜ｂ０）の保留領域により構成されている。
【０１０２】
上記データを以下に詳しく示す。ただし、量子化ビット数、サンプリング周波数、マルチチャネルタイプは図３４と同じであるので説明を省略する。
（１）オーディオ符号化モード（ｂ１２７〜ｂ１２０）
００００００００ｂ：リニアＰＣＭモード
０００００００１ｂ：圧縮オーディオ（ドルビーデジタル）用に保留
００００００１０ｂ：圧縮オーディオ（ＭＰＥＧ２拡張無し）用に保留
００００００１１ｂ：圧縮オーディオ（ＭＰＥＧ２拡張有り）用に保留
０００００１００ｂ：圧縮オーディオ（ＤＴＳ）用に保留
０００００１０１ｂ：圧縮オーディオ（ＳＤＤＳ）用に保留
その他　　　　　　：その他の符号化モード用に保留
【０１０３】
（８）チャネル割り当て（ｂ９２〜ｂ８８）
図５３は１チャネル（モノラル）から６チャネルまでのグループ「１」、「２」のチャネル割り当て情報を示している。ちなみに、図に示す記号を以下に説明する。
Ｃ（ｍｏｎｏ）：モノラル
Ｌ，Ｒ　　：２チャネルステレオ
Ｌｆ　　　：マルチチャネルのレフトフロント
Ｒｆ　　　：マルチチャネルのライトフロント
Ｃ　　　　：マルチチャネルのセンター
ＬＦＥ　　：マルチチャネルのＬｏｗ　Ｆｒｅｑｕｅｎｃｙ　Ｅｆｆｅｃｔ
Ｓ　　　　：マルチチャネルのサラウンド
Ｌｓ　　　：マルチチャネルのレフトサラウンド
Ｒｓ　　　：マルチチャネルのライトサラウンド
【０１０４】
（９）デコーディング・オーディオ・ストリーム数（ｂ８７〜ｂ８５）の「０」又は「１」
（１０）ＭＰＥＧオーディオ用ＤＲＣ（ｂ７９、ｂ７８）
００ｂ：ＭＰＥＧオーディオストリーム内にＤＲＣデータが存在しない。
０１ｂ：ＭＰＥＧオーディオストリーム内にＤＲＣデータが存在する。
【０１０５】
（１１）圧縮オーディオチャネル数（ｂ７５〜ｂ７２）
オーディオ符号化モードがリニヤＰＣＭオーディオの場合には「１１１１ｂ」
００００ｂ：１ｃｈ（モノ）
０００１ｂ：２ｃｈ（ステレオ）
００１０ｂ：３ｃｈ
００１１ｂ：４ｃｈ
０１００ｂ：５ｃｈ
０１０１ｂ：６ｃｈ
０１１０ｂ：７ｃｈ
０１１１ｂ：８ｃｈ
その他　　：保留
【０１０６】
図５０に示した２８８（１８×１６）バイトのエリア（ＲＢＰ３８４〜６７１）には、マルチチャネルオーディオデータを２チャネルにダウンミックスするために図５４に示すようにテーブル番号「０」〜「１５」の各ダウンミックス係数（ＡＴＳ−ＤＭ−ＣＯＥＦＴ＃０〜＃１５）が１８バイトで記述される。
【０１０７】
図５０に示した２バイト（ＲＢＰ７０４、７０５）のエリアは、ＡＯＴＴ用のＡＯＢＳにおけるスチルピクチャデータのアトリビュート（ＡＴＳ−ＳＰＣＴ−ＡＴＲ）を記述するために、図５５に詳しく示すようにＭＳＢ側から順に
・２ビット（ｂ１５、ｂ１４）のビデオ圧縮モードと、
・２ビット（ｂ１３、ｂ１２）のＴＶシステムと、
・２ビット（ｂ１１、ｂ１０）のアスペクト比と、
・２ビット（ｂ９、ｂ８）のディスプレイモードと、
・２ビット（ｂ７、ｂ６）の保留領域と、
・３ビット（ｂ５〜ｂ３）のソースピクチャの解像度と、
・３ビット（ｂ２〜ｂ０）の保留領域により構成されている。
【０１０８】
上記ＡＴＳ−ＳＰＣＴ−ＡＴＲの内容を以下に詳しく示す。
（１）ビデオ圧縮モード（ｂ１５、ｂ１４）
００ｂ：ＭＰＥＧ１対応
０１ｂ：ＭＰＥＧ２対応
その他：保留
（２）ＴＶシステム（ｂ１３、ｂ１２）
００ｂ：５２５／６０
０１ｂ：６２５／６０
その他：保留
（３）アスペクト比（ｂ１１、ｂ１０）
００ｂ：４：３
１１ｂ：１６：９
その他：保留
（４）ディスプレイモード（ｂ９、ｂ８）
００ｂ：保留
０１ｂ：保留
１０ｂ：レターボックスのみ許可
１１ｂ：記述しない。
（５）ソースピクチャの解像度（ｂ５〜ｂ３）
０００ｂ：７２０×４８０（５２５／６０システム）
７２０×５７６（６２５／６０システム）
その他：保留
【０１０９】
図４２（Ａ）に示したＡＴＳ−ＰＧＣＩＴ（ＡＴＳプログラム・チェーン・インフォメーション・テーブル）は、図５６に詳しく示すように先頭から順に
・図５７に詳しく示すオーディオ・タイトルセットＰＧＣＩテーブル・インフォメーション（ＡＴＳ−ＰＧＣＩＴＩ）と、
・図５８、図５９に詳しく示すｎ個のオーディオ・タイトルセットＰＧＣＩサーチポインタ（ＡＴＳ−ＰＧＣＩ−ＳＲＰ＃１〜＃ｎ）と、
・図６０に詳しく示す複数のオーディオ・タイトルセットＰＧＣＩにより構成されている。
【０１１０】
ＡＴＳ−ＰＧＣＩＴＩは図５７に詳しく示すように８バイトで構成され、先頭から順に
・２バイトのＡＴＳ−ＰＧＣＩ−ＳＲＰ＃１〜＃ｎの数と、
・２バイトの保留領域と、
・４バイトのＡＴＳ−ＰＧＣＩＴのエンドアドレスにより構成されている。ＡＴＳ−ＰＧＣＩ−ＳＲＰ＃１〜＃ｎの各々は、図５８に詳しく示すように８バイトで構成され、先頭から順に
・図５９に詳しく示すように４バイトのＡＴＳ−ＰＧＣのカテゴリ（ＡＴＳ−ＰＧＣ−ＣＡＴ）と、
・４バイトのＡＴＳ−ＰＧＣＩのエンドアドレスにより構成されている。
【０１１１】
上記の４バイト（ｂ３１〜ｂ０）のＡＴＳ−ＰＧＣのカテゴリは、図５９に詳しく示すように先頭から順に
・１ビット（ｂ３１）のエントリータイプと、
・７ビット（ｂ３０〜ｂ２４）のＡＴＳオーディオタイトル数（ＡＴＳ−ＴＴＮ）と、
・２ビット（ｂ２３、ｂ２２）のブロックモードと、
・２ビット（ｂ２１、ｂ２０）のブロックタイプと、
・４ビット（ｂ１９〜ｂ１６）のオーディオチャネル数と、
・８ビット（ｂ１５〜ｂ８）のオーディオ符号化モードと、
・８ビット（ｂ７〜ｂ０）の保留領域により構成されている。
【０１１２】
上記カテゴリ（ＡＴＳ−ＰＧＣ−ＣＡＴ）の内容を以下に詳しく示す。
（１）エントリータイプ（ｂ３１）
０ｂ：エントリーＰＧＣでない
１ｂ：エントリーＰＧＣ
（２）ＡＴＳオーディオタイトル数（ｂ３０〜ｂ２４）
このＡＴＳのオーディオタイトル数を「１」〜「９９」の範囲で記述する。
（３）ブロックモード（ｂ２３、ｂ２２）
００ｂ：ＡＴＳ−ＰＧＣブロックのＡＴＳ−ＰＧＣでない
０１ｂ：ＡＴＳ−ＰＧＣブロックの最初のＡＴＳ−ＰＧＣ
１０ｂ：保留
１１ｂ：ＡＴＳ−ＰＧＣブロックの最後のＡＴＳ−ＰＧＣ
（４）ブロックタイプ（ｂ２１、ｂ２０）
００ｂ：このブロックの一部でない
０１ｂ：オーディオコーディングモードのみの差分のブロック
１０ｂ：オーディオチャネルのみの差分のブロック
１１ｂ：オーディオコーディングモードとオーディオチャネルの両方の差分のブロック
（５）オーディオチャネル数（ｂ１９〜ｂ１６）
００００ｂ：２チャネル以下
０００１ｂ：２チャネルを越える
【０１１３】
図５６に示したオーディオ・タイトルセットＰＧＣＩ（ＡＴＳ−ＰＧＣＩ）の各々は、図６０に詳しく示すように先頭から順に
・図６１、図６２に詳しく示すＡＴＳ−ＰＧＣジェネラル・インフォメーション（ＡＴＳ−ＰＧＣ−ＧＩ）と、
・図５５〜図５７に詳しく示すＡＴＳプログラム・インフォメーション・テーブル（ＡＴＳ−ＰＧＩＴ）と、
・図５８〜図６０に詳しく示すＡＴＳセル・プレイバック・インフォメーション
・テーブル（ＡＴＳ−Ｃ−ＰＢＩＴ）により構成されている。
【０１１４】
ＡＴＳ−ＰＧＣ−ＧＩは図６１に詳しく示すように１６バイト（ＲＢＰ０〜１５）で構成され、先頭から順に
・図６２に詳しく示す４バイト（ＲＢＰ０〜３）のＡＴＳ−ＰＧＣコンテンツ（ＡＴＳ−ＰＧＣ−ＣＮＴ）と、
・４バイト（ＲＢＰ４〜７）のＡＴＳ−ＰＧＣプレイバック・タイム（ＡＴＳ−ＰＧＣ−ＰＢ−ＴＭ）と、
・２バイト（ＲＢＰ８、９）の保留領域と、
・２バイト（ＲＢＰ１０、１１）のＡＴＳ−ＰＧＩＴのスタートアドレスと、
・２バイト（ＲＢＰ１２、１３）のＡＴＳ−Ｃ−ＰＢＩＴのスタートアドレスと、
・２バイト（ＲＢＰ１４、１５）の保留領域により構成されている。
【０１１５】
上記の４バイト（ｂ３１〜ｂ０）のＡＴＳ−ＰＧＣコンテンツは図６２に詳しく示すように先頭から順に
・１７ビット（ｂ３１〜ｂ１５）の保留領域と、
・７ビット（ｂ１４〜ｂ８）のプログラム数と、
・８ビット（ｂ７〜ｂ０）のセル数により構成されている。プログラム数は「１」〜「９９」の範囲であり、セル数は「１」〜「２５５」の範囲である。
【０１１６】
図６０に示したＡＴＳプログラム・インフォメーション・テーブル（ＡＴＳ−ＰＧＩＴ）は、図６３に詳しく示すようにｎ個のＡＴＳプログラム・インフォメーション（ＡＴＳ−ＰＧＩ）＃１〜＃ｎにより構成されている。ＡＴＳ−ＰＧＩ＃１〜＃ｎの各々は図６４に詳しく示すように２０バイト（ＲＢＰ０〜１９）で構成され、先頭から順に
・図６５に詳しく示す４バイト（ＲＢＰ０〜３）のＡＴＳ−ＰＧコンテンツ（ＡＴＳ−ＰＧ−ＣＮＴ）と、
・１バイト（ＲＢＰ４）のＡＴＳ−ＰＧのエントリセル番号と、
・１バイト（ＲＢＰ５）の保留領域と、
・４バイト（ＲＢＰ６〜９）のＡＴＳ−ＰＧの最初のオーディオセルのスタート
・プレゼンテーション・タイム（ＦＡＣ−Ｓ−ＰＴＭ）と、
・４バイト（ＲＢＰ１０〜１３）のＡＴＳ−ＰＧプレイバック・タイムと、
・４バイト（ＲＢＰ１４〜１７）のＡＴＳ−ＰＧポーズ・タイムと、
・１バイト（ＲＢＰ１８）の保留領域（著作権管理データＣＭＩ用）と、
・１バイト（ＲＢＰ１９）の保留領域
により構成されている。
【０１１７】
上記２バイト（ｂ３１〜０）のＡＴＳ−ＰＧコンテンツは、図６５に詳しく示すように先頭から順に
・１ビット（ｂ３１）の、前回と今回のＰＧの関係（Ｒ／Ａ）と、
・１ビット（ｂ３０）のＳＴＣ不連続性フラグ（ＳＴＣ−Ｆ）と、
・３ビット（ｂ２９〜ｂ２７）のアトリビュート数（ＡＴＲＮ）と、
・３ビット（ｂ２６〜ｂ２４）のチャネルグループ（ＣｈＧｒ）「２」のビットシフトデータと、
・２ビット（ｂ２３、ｂ２２）の保留領域と、
・１ビット（ｂ２１）のダウンミックスモード（Ｄ−Ｍ）と、
・１ビット（ｂ２０）のダウンミックス係数の有効性（図示※）と、
・４ビット（ｂ１９〜ｂ１６）のダウンミックス係数テーブル番号（ＤＭ−ＣＯＥＦＴＮ）と、
・各々が１ビット、合計１６ビット（ｂ１５〜ｂ０）のＲＴＩフラグＦ１５〜Ｆ０により構成されている。
【０１１８】
図６０に示したＡＴＳセル・プレイバック・インフォメーション・テーブル（ＡＴＳ−Ｃ−ＰＢＩＴ）は、図６６に詳しく示すようにｎ個のＡＴＳセル・プレイバック・インフォメーション（ＡＴＳ−Ｃ−ＰＢＩ）＃１〜＃ｎにより構成されている。ＡＴＳ−Ｃ−ＰＢＩ＃１〜＃ｎの各々は、図６７に詳しく示すように１２バイト（ＲＢＰ０〜１１）により構成され、先頭から順に
・１バイト（ＲＢＰ０）のＡＴＳ−Ｃのインデックス番号と、
・図６８に詳しく示すように１バイト（ＲＢＰ１）のＡＴＳ−Ｃタイプ（ＡＴＳ−Ｃ−ＴＹ）と、
・２バイト（ＲＢＰ２、３）の保留領域と、
・４バイト（ＲＢＰ４〜７）のＡＴＳ−Ｃのスタートアドレスと、
・４バイト（ＲＢＰ８〜１１）のＡＴＳ−Ｃのエンドアドレスにより構成されている。
【０１１９】
１バイト（ｂ７〜ｂ０）のＡＴＳ−Ｃタイプは、図６８に詳しく示すように先頭から順に
・２ビット（ｂ７、ｂ６）のＡＴＳセル要素（ＡＴＳ−Ｃ−ＣＯＭＰ）と、
・２ビット（ｂ５、ｂ４）の保留領域と、
・４ビット（ｂ３〜ｂ０）のＡＴＳセル用途（ＡＴＳ−Ｃ−Ｕｓａｇｅ）により構成されている。
【０１２０】
上記データの内容を以下に詳しく示す。
（１）ＡＴＳセル要素（ｂ７、ｂ６）
００ｂ：オーディオデータのみから成るオーディオセル
０１ｂ：オーディオデータとリアルタイムインフォメーションから成るオーディオセル
１０ｂ：サイレンス用のオーディオデータのみから成るサイレンスセル
１１ｂ：スチルピクチャのみから成るピクチャセル
（２）ＡＴＳセル用途（ｂ３〜ｂ０）
００００ｂ：記述無し
０００１ｂ：スポットライトパート
その他　　：保留
【０１２１】
次の本発明に適用されるエンコード装置について説明する。図６９、図７０はそれぞれエンコード装置の構成と処理を示している。アナログオーディオ信号ＡはＡ／Ｄコンバータ３１により十分高いサンプリング周波数（サンプリング周期Δｔ）、例えば１９２ｋＨｚでサンプリングされて、例えば２４ビットの高分解能のＰＣＭ信号に変換される。続くビットシフト／信号処理回路３２では、圧縮を行わない場合には、Ａ／Ｄコンバータ３１により変換されたＰＣＭデータがそのままＤＶＤフォーマット化部３４に印加される。これに対し、圧縮を行う場合には、Ａ／Ｄコンバータ３１により変換されたＰＣＭデータがその符号化モードに応じてビットシフト／信号処理回路３２により圧縮され、次いでＤＶＤフォーマット化部３４に印加される（ステップＳ５、Ｓ６）。ビットシフト／信号処理回路３２ではまた、グループ「２」の各チャネルがビットシフトされる。
【０１２２】
また、ビデオ信号ＶはＡ／Ｄ変換器３１Ｖによりデジタル信号に変換され、次いでこのデジタルビデオ信号がＶエンコーダ３２ＶによりＭＰＥＧフォーマットにエンコードされ、ＤＶＤフォーマット化部３４に印加される（ステップＳ１、Ｓ２）。また、静止画信号ＳＰはＡ／Ｄ変換器３１ＳＰによりデジタル信号に変換され、次いでこのデジタル静止画信号ＳＰが圧縮エンコーダ３２ＳＰによりＭＰＥＧフォーマットにエンコードされ、ＤＶＤフォーマット化部３４に印加される（ステップＳ３、Ｓ４）。また、著作権情報とリアルタイムテキスト情報（ＲＴＩ）がインタフェース（Ｉ／Ｆ）４０を介して（ステップＳ７、Ｓ８）、また、文字情報とディスク識別子ＥＸがＤＶＤフォーマット化部３４に印加される（ステップＳ９、Ｓ１０）。
【０１２３】
そしてＤＶＤフォーマット化部３４は、前述したようなフォーマットにパッキングする（ステップＳ１１）。このＤＶＤフォーマット化部３４によりフォーマット化されたデータは、変調回路３５によりディスクに応じた変調方式で変調されてこの変調データに基づいてディスクが製造されたり、記録部３８にいったん記録されたり、通信Ｉ／Ｆ３９を介して伝送される（ステップＳ１２）。
【０１２４】
図７１は本発明に係るデコード装置の具体的構成を示し、図７２は図７１の構成を機能的に示している。また、図７３はその処理を示している。図７１、図７２において、まず、図１９に示す場合と同様に、操作部１８やリモコン装置１９により曲目選択、再生、早送り、停止操作が行われると、制御部２３はその操作に応じてドライブ装置２と再生装置１７を制御し、再生時にはＤＶＤオーディオディスク１に記録されたピットデータがドライブ装置２により読み取られた後、ＥＦＭ復調される。
【０１２５】
再生装置１７では、この信号が静止画及びＶパック検出部３とＡ及びＲＴＩパック検出部９に送られる。静止画パック、Ｖパックがディスク１に記録されている場合には、静止画及びＶパック検出部３はこの再生データ中の静止画パック、Ｖパックを検出して制御パラメータをパラメータ部８に設定するとともに静止画パック、Ｖパックを静止画及びＶパックバッファ４に順次書き込む。静止画及びＶパックバッファ４に書き込まれた静止画パック、Ｖパック内のユーザデータ（ビデオ信号、静止画情報）は、バッファ取り出し部５により静止画パック、Ｖパック内のＳＣＲ（図１３参照）に基づいてパック順に、また、出力時刻順に取り出され、次いで伸長及び画像変換部６、Ｄ／Ａ変換部７、ビデオ出力端子１５、１５’を介してアナログビデオ信号として出力される。
【０１２６】
また、Ａ及びＲＴＩパック検出部９は再生データ中のＡパックとＲＴＩパックを検出して制御パラメータをパラメータ部１４に設定するとともに、ＡパックとＲＴＩパックをＡ及びＲＴＩパックバッファ１０に順次書き込む。Ａ及びＲＴＩパックバッファ１０に書き込まれたＡパック、ＲＴＩパック内のユーザデータ（オーディオ信号、リアルタイム・インフォメーション）は、バッファ取り出し部１１によりパック順に、また、出力時刻順に取り出される。そして、オーディオ信号はＰＣＭ変換及びビットシフト／信号処理部１２、Ｄ／Ａ変換部１３、オーディオ出力端子１６を介してアナログオーディオ信号として出力される。また、リアルタイム・インフォメーションは表示信号生成部２０に送られて表示信号が生成され、この表示信号は表示信号出力端子２２を介して出力されたり、内蔵の文字表示部２１に出力される。
【０１２７】
図７３を参照してこのデコード装置の処理を説明する。まず、ディスク１にアクセスして記録データを読み出し（ステップＳ２０）、次いで各分離ステップＳ２１〜Ｓ２９においてビデオ信号と、静止画信号と、オーディオ信号と、著作権情報及びリアルタイム情報（ＲＴＩ）と、文字情報及びディスク識別子（ＥＸ）が分離される。次いで各デコードステップＳ２２〜Ｓ３０においてそれぞれ各分離データがデコードされ、次いで同期再生される（ステップＳ３１、Ｓ３２）。
【０１２８】
ここで、静止画ＳＰを再生する処理には次の３通りがある。
１）静止画ＳＰが得られると、オーディオ信号Ａの再生を中断してミュートする。
２）静止画ＳＰが得られると、時間制御信号に基づいてオーディオ信号Ａと共に再生する。
３）静止画ＳＰが得られると、ユーザに指示されたページめくりコマンドに基づいてページめくり再生する。このときオーディオ信号Ａはそのまま再生する。
【０１２９】
静止画を音声に同期させる必要がある場合は、リアルタイムの同期のための時間制御信号は、図４２（Ｂ）のＡＴＳＩに追加して設けるスチルピクチャ・コントロール・インフォメーション・テーブルＳＰＣＩＴの下のタイム・コントロール・データ・インフォメーション（ＳＰＣＩＴ−ＴＣＤＩ）に置くようにする。
【０１３０】
また、さらにページめくりコマンドを収めたスチルピクチャ・ページ制御コマンド・インフォメーション（ＳＰＰＩ）をＳＰＣＩＴの下に置くようにする。このようにＳＰＣＩＴは、一般情報のＳＰＣＩＴジェネラル・インフォメーション（ＳＰＣＩＴ−ＧＩ）と、タイム・コントロール・データ・インフォメーション（ＳＰＣＩＴ−ＴＣＤＩ）と、スチルピクチャ・ページ制御コマンド・インフォメーション（ＳＰＰＩ）とから構成される。
【０１３１】
また、ここで、図４９のＳＰＣＴパックのスチル・ピクチャ・データの中に、スチルピクチャのページ制御するためのサイド情報を含むようにすることができる。このサイド情報により規定されたページ制御データをＳＰＰＩを参照しながら解釈して行うようにする。
【０１３２】
なお、スチル・ピクチャ・データに収めるには容量に余裕がない場合は、ＲＴＩパックのＲＴＩデータの中に、上記したスチルピクチャのページ制御するためのサイド情報を含むようにすることも許容できる。
【０１３３】
図７４は図４２（Ｂ）に示すように静止画を音声に同期させるため時間情報、ページめくりコマンドが記録されたＤＶＤオーディオディスクや、ＤＶＤビデオディスクなどのディスク１１０に記録されている信号を再生するための装置を示している。ディスクドライブ装置１１１はドライブ制御回路１１２により制御され、ディスク１１０はディスクドライブ装置１１１により駆動されて記録信号が読み出される。この信号は復調回路／誤り訂正回路１１３によりＥＦＭ復調され、次いで誤り訂正された後、制御データとＤＳＩデータを除くストリーム信号は書き込み制御回路１１５によりトラックバッファ１１４に書き込まれ、また、制御データとＤＳＩデータはそれぞれシステムバッファ１１７とＤＳＩバッファ１２２に書き込まれる。ＤＳＩバッファ１２２に書き込まれたデータはＤＳＩデコーダ１５１によりデコードされて出力される。
【０１３４】
システムコントローラ１３２はシステムバッファ１１７に書き込まれた制御データに基づいて再生制御を行う。システムコントローラ１３２には再生制御を行うために操作部１３０と、表示部１３１と、リード／ライト可能なシステムパラメータメモリ１３３と、再生専用のシステムパラメータメモリ１３４と、リード／ライト可能な汎用パラメータメモリ１３５とシステムタイマ１３６が接続されている。
【０１３５】
トラックバッファ１１４に書き込まれたストリーム信号は読み出し制御回路１１６により読み出され、次いでデマルチプレクサ１２８により静止画パックと、ＲＴＩパックと、ＶＢＶパックと、サブピクチャパックと、ＶＢＩパックと、オーディオパックに分離され、各パックがそれぞれ静止画バッファ１４７と、ＲＴＩバッファ１４８と、ＶＢＶバッファ１１８と、サブピクチャバッファ１１９と、ＶＢＩバッファ１２０と、オーディオバッファ１２１に蓄積される。そして、静止画パックとＲＴＩパックはそれぞれ静止画デコーダ１４９、ＲＴＩデコーダ１５０によりデコードされて出力され、また、ＲＴＩデコーダ１５０によりデコードされたＲＴＩデータはバッファ１５０’に蓄積される。
【０１３６】
ＶＢＶパックはビデオデコーダ１２３によりデコードされ、次いでレターボックス変換器１２６を介して加算器１２７に送られる。また、サブピクチャパック、ＶＢＩパックはそれぞれサブピクチャデコーダ１２４、ＶＢＩデコーダ１２５によりデコードされて加算器１２７に送られ、加算器１２７ではこれらのビデオ信号が合成される。また、オーディオパックはオーディオデコーダ１２９に送られ、その中のフォーマット分解器１４１、チャネル分離器１４２及びＤ／Ａ変換器１４４、１４５によりアナログ信号に変換される。
【０１３７】
次に図７５、図７６を参照して静止画の再生処理について説明する。この再生処理は２通り（タイプ「１」、「２」）の方法があり、図７５において、まず、再生が開始されると静止画データにアクセスして静止画バッファ１４７に蓄積する（ステップＳ６１）。このとき、１〜３秒間はオーディオデータを再生せずに無音のままとする。次いでタイプ「１」か否かを判別し（ステップＳ６２）、タイプ「１」の場合にはオーディオデータにアクセスして、図４２（Ｂ）に示すタイム・コントロール・データ・インフォメーション（ＳＰＣＩＴ−ＴＣＤＩ）すなわち時間制御情報に基づいて静止画データと同期再生する（ステップＳ６３）。他方、タイプ「１」でない場合にはオーディオデータにアクセスして再生する（ステップＳ６４）。
【０１３８】
このタイプ「２」の処理では、図７６に示すようにユーザコマンドにより割り込みが発生するとそのコマンドを解釈し（ステップＳ６５）、そのコマンドとスチルピクチャ・ページ制御コマンド・インフォメーション（ＳＰＰＩ）に応じて静止画の「次に進む」、「前に戻る」のページめくりや、「消去」、「拡大」などの再生を行う（ステップＳ６６）。このタイプ「２」における静止画の処理では、オーディオ信号とは同期せず、また、オーディオ信号の再生には影響を与えない。
【０１３９】
次に図７７、図７８を参照してオーディオデコーダ１２９の変形例について詳しく説明する。この変形例ではサンプルレート変換器１４３が追加されており、まず、オーディオパックがフォーマット分解器１４１により分解され、次いでチャネル分離器１４２により各チャネルのＰＣＭデータに分離される。そして、システムコントローラ１３２はフォーマット分解器１４１により分解されたオーディオデータのサンプリング周波数ｆｓを判断し、サンプリング周波数ｆｓが第１の系統の４８ｋＨｚの場合にはオーディオデータをチャネル分離器１４２からスイッチ１４６、１４７を介してそのままＤ／Ａ変換器１４４、１４５に送り、他方、第２の系統の４４．１ｋＨｚの場合にはサンプルレート変換器１４３により図７８（Ａ）に示すように第１の系統の４８ｋＨｚにアップサンプリングしたオーディオデータをスイッチ１４６、１４７を介してＤ／Ａ変換器１４４、１４５に送る。
【０１４０】
また、第１の系統の９６ｋＨｚの場合にもチャネル分離器１４２からスイッチ１４６、１４７を介してそのままＤ／Ａ変換器４４、４５に送られ、他方、第２の系統の８８．２ｋＨｚの場合にもサンプルレート変換器１４３により図７８（Ａ）に示すように第１の系統の９６ｋＨｚにアップサンプリングされてスイッチ１４６、１４７を介してＤ／Ａ変換器４４、４５に送られる。したがって、Ｄ／Ａ変換器１４４、１４５は第１の系統のみで構成することができる。なお、Ｄ／Ａ変換器１４４、１４５のサンプリング周波数ｆｓはシステムコントローラ１３２により制御される。
【０１４１】
なお、サンプリング周波数ｆｓを第２の系統から第１の系統に変換する代わりに、図７８（Ｂ）に示すように第１の系統の４８ｋＨｚ、９６ｋＨｚを第２の系統の４４．１ｋＨｚ、８８．２ｋＨｚに変換するようにしてもよい。また、マルチチャネル信号の各チャネルがサンプリング周波数ｆｓが第１の系統であっても、例えば図７８（Ｃ）に示すようにあるチャネルが４８ｋＨｚの場合には９６ｋＨｚにアップサンプリングし、全てのチャネルを９６ｋＨｚに揃えてＤ／Ａ変換することにより再生音質を向上させることができる。
【０１４２】
次に図７９、図８０を参照して著作権情報をスーパーインポーズ表示する再生装置について説明する。図７９において、静止画パックは静止画バッファ１４７を介して静止画デコーダ１４９に送られて静止画データがデコードされ、この静止画データは加算器２０１に印加される。また、ＲＴＩパックはＲＴＩバッファ１４８を介してＲＴＩデコーダ１５０に送られてデコードされ、デコードデータがバッファ１５０’に蓄積される。このとき、ＲＴＩパックが著作権データ（図４５、図４６に示すＵＰＣ／ＥＡＮ−ＩＳＲＣデータ）を含む場合、このテキスト文字情報が画像変換部２００により文字画像データに変換されて加算器２０１に印加されて静止画と合成されて外部に出力されるか、又はスイッチ２０３を介して外部に出力される。
【０１４３】
また、オーディオパックはオーディオバッファ１２１を介してフォーマット分解器１４１により分解され、各データがバッファ１４１’に蓄積される。このとき、オーディオパックが著作権データ（図４５、図４６に示すＵＰＣ／ＥＡＮ−ＩＳＲＣデータ）を含む場合、この著作権データがコード変換部２０２によりテキスト文字情報に変換され、スイッチ２０３を介して外部に出力される。
【０１４４】
図８０を参照して動作を説明する。まず、静止画の著作権情報の表示指示が操作部１３０から伝えられている場合には、静止画パックからデコードされた静止画とＲＴＩパックからデコードされて画像データに変換された著作権情報を加算器２０１により加算して出力する（ステップＳ７１→Ｓ７２）。他方、静止画の著作権情報の表示指示がない場合には、ＲＴＩパックからデコードされた著作権情報を加算せず（ステップＳ７１→Ｓ７３）、次いでオーディオ信号の著作権情報の表示指示が操作部１３０から伝えられているか否かを判断する（ステップＳ７４）。そして、表示指示が有る場合には、オーディオパックからデコードされた著作権情報をコード変換部２０２によりテキスト文字情報に変換してスイッチ２０３を介してＲＴＩ出力を行い（ステップＳ７４→Ｓ７５）、他方、表示指示がない場合にはＲＴＩ出力を行わない。なお、この処理はセル又はトラック単位で行う。
【０１４５】
ここで、図７７に示す構成のオーディオデコーダや、図７９に示す著作権情報再生装置（及びオーディオデコーダ）は、図７４に示すディスク再生装置の一部として組み込んで使用する方法の他に、製品単体としてＩＣチップ化して構成し、ＤＶＤビデオ再生装置やパーソナルコンピュータの部品として使用することができる。
【０１４６】
次に、上記のようにフォーマット化されたデジタルオーディオ信号を通信回線を介して伝送する実施例について説明する。まず、図８１〜図８５を参照して送信側であるパッキング装置について説明する。パッキング装置は図８１に示すようにパッキング処理部３０と、バッファメモリ３０Ｂと、コントロール回路２９と、操作部２７とディスプレイ２８を有する。そして、図８２〜図８５において、まず、ビデオ信号Ｖと、静止画信号ＳＰと、オーディオ信号Ａとリアルタイム情報ＲＴＩとディスク識別子（ＥＸ）が入力すると、ステップＳ１００では図８３に詳しく示すようにオーディオパックを生成し（ステップＳ１０１）、次いでビデオパックを生成し（ステップＳ１０２）、次いで静止画パックを生成し（ステップＳ１０３）、次いでリアルタイムテキストを生成する（ステップＳ１０４）。
【０１４７】
次いでセル（ＡＴＳ−Ｃ）を管理し（ステップＳ２００）、次いでＰＴＴ（パートオブタイトル）を管理し（ステップＳ３００）、次いでタイトル（ＡＯＴＴ−ＡＯＢ）を管理し（ステップＳ４００）、次いでタイトルセット（ＡＯＴＴ−ＡＯＢＳを管理する（ステップＳ５００）。続くステップＳ６００ではＡＴＳを生成するために、図８４に詳しく示すようにタイトルセットを生成し（ステップＳ６０１）、次いでメニューを生成する（ステップＳ６０２）。次いでＡＴＳ−ＰＧＣＩのカテゴリを記載し（ステップＳ６０３）、次いでビットシフトを含むＰＧコンテンツから成るＰＧＩＴを生成してＰＧＣＩを生成することによりＡＴＳ−ＰＧＣＩＴを生成する（ステップＳ６０４）。次いで属性、係数のＭＡＴを生成することによりＡＴＳＩを生成する（ステップＳ６０５）。次いでＡＭＧを生成し（ステップＳ７００）、最後にＴＯＣを生成する（ステップＳ８００）。
【０１４８】
次に、上記のようにフォーマット化されたデジタルオーディオ信号を通信回線を介して伝送する場合には、図８５に示すように、送信バッファに蓄えられている送信データを所定長に分割してパケット化し（ステップＳ４１）、次いでパケットの先頭には宛て先アドレスを含むヘッダを付与し（ステップＳ４２）、次いでこれをネットワーク上に出力する（ステップＳ４３）。
【０１４９】
次に図８６〜図９０を参照してデータ受信側について説明する。図８６に示すようにデータ受信側のアンパッキング装置は、アンパッキング処理部６０と、バッファメモリ６０Ｂと、パラメータメモリ５６と、コントロール回路５９と、操作部５７とディスプレイ５８を有する。まず、図８７に示すように、ネットワークから受信したパケットからヘッダを除去し（ステップＳ５１）、次いで受信データを復元し（ステップＳ５２）、次いでこれをメモリに転送する（ステップＳ５３）。
【０１５０】
次に図８８〜図９０に示すように、まず、ＡＭＧをデコードしてＡＴＳを検出し（ステップＳ１１００）、続くステップＳ１２００では目的のＡＴＳのＡＴＳＩをデコードするために、図８９に詳しく示すようにＡＴＳ−ＰＧＣＩのカテゴリをデコードし（ステップＳ１２０１）、次いでビットシフトを含むＰＧコンテンツから成るＰＧＩＴをデコードし（ステップＳ１２０２）、次いでＭＡＴの属性、係数をデコードし（ステップＳ１２０３）、次いでこれらのデコードした各パラメータをパラメータメモリ５６に設定する（ステップＳ１２０４）。
【０１５１】
次いで再生が開始されると、パックを識別し（ステップＳ１３００）、続くステップＳ１４００ではパックをデコードするために、図９０に詳しく示すようにオーディオパックをデコードし（ステップＳ１４０１）、次いでビデオパックをデコードし（ステップＳ１４０２）、次いで静止画パックをデコードし（ステップＳ１４０３）、次いでリアルタイムテキストをデコードする（ステップＳ１４０４）。そしてこれらの各パックからデコードしたオーディオ信号と、ビデオ信号と、静止画信号とリアルタイムテキスト信号を出力し（ステップＳ１５００）、再生中にはステップＳ１３００〜ステップＳ１５００の処理を繰り返す。
【０１５２】
上記エンコード装置及びデコード装置は、上記エンコード方法及びデコード方法をコンピュータプログラムとしてＲＯＭなどのＩＣチップに記憶しておき、このプログラムによりコンピュータのＣＰＵ（中央演算処理装置）を作動させることによっても実現できる。本発明はまた、ＤＶＤなどの記録媒体を介して伝送するのみならず、インターネットやカラオケ通信回線などの通信回線を介して伝送して再生側ではハードウエアやＰＣ上のアプリケーションにより処理する場合にも適用することができる。
【０１５３】
【発明の効果】
以上説明したように本発明によれば、ＤＶＤビデオタイトルセットと、前記ＤＶＤビデオタイトルセットを管理する情報を含む管理エリアの代わりに、再生制御用のパックを含まず、オーディオデータを有するＤＶＤオーディオタイトルセットと、前記ＤＶＤオーディオタイトルセットを管理する情報を含む管理エリアを設けたので、オーディオ信号を主として記録する場合にユーザにとって簡易に再生することができて使い勝手がよく、また、実時間の管理を簡単にすることができる。また本発明によれば、マルチチャネルのオーディオデータを２つのグループにわけてサンプリング周波数を割り当て、またビットシフトエンコードすることによりＳ／Ｎ比の向上とビット削減をするようにしたので、オーディオ信号の記録容量を確保しながらオーディオ信号の記録時間を所望に設定するために有効になる。
【図面の簡単な説明】
【図１】ＤＶＤ−ビデオのフォーマットと、第１の参考例に係るＤＶＤ−オーディオのフォーマットを示す説明図である。
【図２】図１のオーディオマネージャ（ＡＭＧ）のフォーマットを詳しく示す説明図である。
【図３】図１のオーディオタイトルセット（ＡＴＳ）のフォーマットを詳しく示す説明図である。
【図４】図２のオーディオマネージャインフォメーション（ＡＭＧＩ）のフォーマットを詳しく示す説明図である。
【図５】図４のオーディオタイトルセット・アトリビュートテーブル（ＡＴＳ−ＡＴＲＴ）のフォーマットを詳しく示す説明図である。
【図６】図５のオーディオタイトルセット・アトリビュートデータ（ＡＴＳ−ＡＴＲ）のフォーマットを詳しく示す説明図である。
【図７】図３のオーディオタイトルセットインフォメーション（ＡＴＳＩ）のフォーマットを詳しく示す説明図である。
【図８】図７のオーディオタイトルセットインフォメーション・マネージメントテーブル（ＡＴＳＩ−ＭＡＴ）のフォーマットを詳しく示す説明図である。
【図９】図８のオーディオタイトルセットメニュー・オーディオストリーム・アトリビュートデータ（ＡＴＳＭ−ＡＳＴ−ＡＴＲ）を詳しく示す説明図である。
【図１０】図８のオーディオタイトルセット・オーディオストリーム・アトリビュートテーブル（ＡＴＳ−ＡＳＴ−ＡＴＲＴ）のフォーマットを詳しく示す説明図である。
【図１１】図１０の各オーディオストリームのアトリビュートデータ（ＡＴＳ−ＡＳＴ−ＡＴＲ）を詳しく示す説明図である。
【図１２】図１のオーディオコンテンツブロックユニット（ＡＣＢＵ）を示す説明図である。
【図１３】図１２のオーディオパックとビデオパックのフォーマットを詳しく示す説明図である。
【図１４】図１２のオーディオコントロール（Ａ−ＣＯＮＴ）パックのフォーマットを詳しく示す説明図である。
【図１５】図１４のオーディオキャラクタディスプレイ（ＡＣＤ）エリアのフォーマットを詳しく示す説明図である。
【図１６】図１５のネームスペース情報により表示される例を示す説明図である。
【図１７】図１４のオーディオサーチデータ（ＡＳＤ）エリアのフォーマットを詳しく示す説明図である。
【図１８】図１のオーディオコンテンツブロックユニットの変形例を示す説明図である。
【図１９】第１の参考例に係るＤＶＤ−オーディオディスクの再生装置を示すブロック図である。
【図２０】図１９の再生装置を機能的に示すブロック図である。
【図２１】第２の参考例におけるオーディオマネージャインフォメーション（ＡＭＧＩ）のフォーマットを詳しく示す説明図である。
【図２２】図２１のＴＯＣ情報を詳しく示す説明図である。
【図２３】第２の参考例の変形例におけるオーディオタイトルセットインフォメーション（ＡＴＳＩ）のフォーマットを詳しく示す説明図である。
【図２４】第２の参考例のＤＶＤ−オーディオディスクの再生装置を示すブロック図である。
【図２５】図２４の再生装置を機能的に示すブロック図である。
【図２６】第３の参考例におけるＴＯＣ情報と再生装置を示すブロック図である。
【図２７】Ａ−Ｖ同期再生処理を説明するためのフローチャートである。
【図２８】Ａ−Ｖ同期再生処理を説明するためのフローチャートである。
【図２９】第４の参考例のＤＶＤ−オーディオディスクの基本フォーマットを示す説明図である。
【図３０】図２９のＤＶＤ−オーディオディスクのオーディオデータ構造を示す説明図である。
【図３１】ＤＶＤ−Ｖａｎディスクの基本フォーマットを示す説明図である。
【図３２】ＤＶＤビデオディスクの基本フォーマットを示す説明図である。
【図３３】ＤＶＤ−Ａｖｄディスクの基本フォーマットを示す説明図である。
【図３４】第４の参考例のＤＶＤ−オーディオディスクにおけるＡＯＴＴ−ＡＯＢ−ＡＴＲを示す説明図である。
【図３５】第４の参考例のＤＶＤ−ＡｖｄディスクにおけるリニアＰＣＭのプライベートヘッダを示す説明図である。
【図３６】第４の参考例の再生装置によるＡＴＳと静止画の再生処理を示すフローチャートである。
【図３７】第４の参考例の再生装置によるオーディオデータのサンプリング周波数に応じたフレーム再生処理を示すフローチャートである。
【図３８】第４の参考例の再生装置によるオーディオデータのエンファシス再生処理を示すフローチャートである。
【図３９】第４の参考例の再生装置によるオーディオデータのエンファシス再生処理を示すフローチャートである。
【図４０】参考例のエンコード装置のブロック図である。
【図４１】図４０の信号処理回路を詳細に示すブロック図である。
【図４２】本発明に係る実施形態のデータ構造を示す説明図である。
【図４３】図４２のオーディオ・オンリ・タイトル用オーディオ・オブジェクト・セット（ＡＯＴＴ−ＡＯＢＳ）を詳しく示す説明図である。
【図４４】図４３のオーディオパックの一例を詳しく示す説明図である。
【図４５】図４４のプライベートヘッダを詳しく示す説明図である。
【図４６】図４５のＵＰＣ／ＥＡＮ−ＩＳＲＣデータを詳しく示す説明図である。
【図４７】図４４のオーディオデータのビットシフトを示す説明図である。
【図４８】図４３のリアルタイム・インフォメーション（ＲＴＩ）パックを詳しく示す説明図である。
【図４９】図４３のスチルピクチャセット（ＳＰＳ）を詳しく示す説明図である。
【図５０】図４２のオーディオ・タイトルセット・インフォメーション・マネージメント・テーブル（ＡＴＳＩ−ＭＡＴ））を詳しく示す説明図である。
【図５１】図５０のオーディオ・オンリ・タイトル用オーディオ・オブジェクト・アトリビュート（ＡＯＴＴ−ＡＯＢ−ＡＴＲ）を詳しく示す説明図である。
【図５２】図５０のオーディオ・オンリ・タイトル用ビデオ・オブジェクト・オーディオストリーム・アトリビュート（ＡＯＴＴ−ＶＯＢ−ＡＳＴ−ＡＴＲ）を詳しく示す説明図である。
【図５３】図５１及び図５２のチャネル割り当て情報を詳しく示す説明図である。
【図５４】図５０のダウンミックス係数（ＡＴＳ−ＤＭ−ＣＯＥＦＴ）を詳しく示す説明図である。
【図５５】図５０のスチルピクチャ・データ・アトリビュート（ＡＴＳ−ＳＰＣＴ−ＡＴＲ）を詳しく示す説明図である。
【図５６】図４２のオーディオ・タイトルセット・プログラム・チェーン・インフォメーション・テーブル（ＡＴＳ−ＰＧＣＩＴ）を詳しく示す説明図である。
【図５７】図５６のＡＴＳ−ＰＧＣＩＴインフォメーション（ＡＴＳ−ＰＧＣＩＴＩ）を詳しく示す説明図である。
【図５８】図５６のＡＴＳ−ＰＧＣＩサーチポインタ（ＡＴＳ−ＰＧＣＩ−ＳＲＰ）を詳しく示す説明図である。
【図５９】図５８のＡＴＳ−ＰＧＣカテゴリ（ＡＴＳ−ＰＧＣＩ−ＣＡＴ）を詳しく示す説明図である。
【図６０】図５６のオーディオ・タイトルセット・プログラム・チェーン・インフォメーション（ＡＴＳ−ＰＧＣＩ）を詳しく示す説明図である。
【図６１】図６０のＡＴＳ−ＰＧＣジェネラル・インフォメーション（ＡＴＳ−ＰＧＣ−ＧＩ）を詳しく示す説明図である。
【図６２】図６１のＡＴＳ−ＰＧＣコンテンツ（ＡＴＳ−ＰＧＣ−ＣＮＴ）を詳しく示す説明図である。
【図６３】図６０のＡＴＳプログラム・インフォメーション・テーブル（ＡＴＳ−ＰＧＩＴ）を詳しく示す説明図である。
【図６４】図６３のＡＴＳプログラム・インフォメーション（ＡＴＳ−ＰＧＩ）を詳しく示す説明図である。
【図６５】図６４のＡＴＳ−ＰＧコンテンツ（ＡＴＳ−ＰＧ−ＣＮＴ）を詳しく示す説明図である。
【図６６】図６３のＡＴＳセル・プレイバック・インフォメーション・テーブル（ＡＴＳ−Ｃ−ＰＢＩＴ）を詳しく示す説明図である。
【図６７】図６６のＡＴＳセル・プレイバック・インフォメーション（ＡＴＳ−Ｃ−ＰＢＩ）を詳しく示す説明図である。
【図６８】図６７のＡＴＳ−Ｃタイプ（ＡＴＳ−Ｃ−ＴＹ）を詳しく示す説明図である。
【図６９】本発明に適用される実施形態のエンコード装置を示すブロック図である。
【図７０】図６９のエンコード装置の処理を示すフローチャートである。
【図７１】本発明に係る実施形態のデコード装置を示すブロック図である。
【図７２】図７１のデコード装置を機能的に示すブロック図である。
【図７３】図７１、図７２のデコード装置の処理を示すフローチャートである。
【図７４】本発明に係る実施形態のデコード装置を詳しく示すブロック図である。
【図７５】図７４のデコード装置のオーディオ信号と静止画データの再生処理を示すフローチャートである。
【図７６】図７４のデコード装置の静止画のページめくり処理を示すフローチャートである。
【図７７】図７４のオーディオデコーダの変形例を示すブロック図である。
【図７８】図７７のサンプルレート変換器の処理を示す説明図である。
【図７９】本発明に係る実施形態のデコード装置の著作権データ表示装置を詳しく示すブロック図である。
【図８０】図７９の装置の著作権データ表示処理を示すフローチャートである。
【図８１】本発明の実施形態のオーディオ信号を伝送する場合のパッキング装置を示すブロック図である。
【図８２】図８１のパッキング装置のパッキング処理を示すフローチャートである。
【図８３】図８２のパック生成処理を詳しく示すフローチャートである。
【図８４】図８２のＡＴＳ生成処理を詳しく示すフローチャートである。
【図８５】図８１のパッキング装置の送信処理を示すフローチャートである。
【図８６】本発明の実施形態のオーディオ信号を伝送する場合のアンパッキング装置を示すブロック図である。
【図８７】図８６のアンパッキング装置の受信処理を示すフローチャートである。
【図８８】図８６のアンパッキング装置のアンパッキング処理を示すフローチャートである。
【図８９】図８１のＡＴＳＩデコード処理を詳しく示すフローチャートである。
【図９０】図８８のパックデコード処理を詳しく示すフローチャートである。
【符号の説明】
ＶＭＧ　ビデオマネージャ（第２の管理エリア）
ＶＴＳ＜１＞　ビデオタイトルセット
ＡＭＧ　オーディオマネージャ（第１の管理エリア）
ＡＴＳ＜１＞，ＡＴＳ＜２＞　オーディオタイトルセット
Ａパック　第１のパック
ＡＯＢ　オーディオオブジェクト
ＡＯＢＳ　オーディオオブジェクトセット
ＡＴＳＩ　オーディオタイトルセット・インフォメーション
ＡＴＳＩ−ＭＡＴ　オーディオタイトルセット・インフォメーション・マネージメント・テーブル
ＲＴＩパック　第２のパック
ＳＰＣＴパック　第３のパック
１２１　オーディオバッファ（第１のバッファ）
１２８　デマルチプレクサ（パック振り分け手段）
１２９　オーディオデコーダ（第１のデコーダ）
１３２　システムコントローラ（サンプリング周波数判断手段）
１４３　サンプルレート変換器（レート変換手段）
１４４，１４５　Ｄ／Ａ変換器（Ｄ／Ａ変換手段）
１４７　静止画バッファ（第３のバッファ）
１４８　ＲＴＩバッファ（第２のバッファ）
１４９　静止画デコーダ（第３のデコーダ）
１５０　ＲＴＩデコーダ（第２のデコーダ）
２００　画像変換部
２０１　加算器（合成表示手段）
２０２　コード変換部
【図１】
2004047073.tif 000003
【図２】
2004047073.tif 000004
【図３】
2004047073.tif 000005
【図４】
2004047073.tif 000006
【図５】
2004047073.tif 000007
【図６】
2004047073.tif 000008
【図７】
2004047073.tif 000009
【図８】
2004047073.tif 000010
【図９】
2004047073.tif 000011
【図１０】
2004047073.tif 000012
【図１１】
2004047073.tif 000013
【図１２】
2004047073.tif 000014
【図１３】
2004047073.tif 000015
【図１４】
2004047073.tif 000016
【図１５】
2004047073.tif 000017
【図１６】
2004047073.tif 000018
【図１７】
2004047073.tif 000019
【図１８】
2004047073.tif 000020
【図１９】
2004047073.tif 000021
【図２０】
2004047073.tif 000022
【図２１】
2004047073.tif 000023
【図２２】
2004047073.tif 000024
【図２３】
2004047073.tif 000025
【図２４】
2004047073.tif 000026
【図２５】
2004047073.tif 000027
【図２６】
2004047073.tif 000028
【図２７】
2004047073.tif 000029
【図２８】
2004047073.tif 000030
【図２９】
2004047073.tif 000031
【図３０】
2004047073.tif 000032
【図３１】
2004047073.tif 000033
【図３２】
2004047073.tif 000034
【図３３】
2004047073.tif 000035
【図３４】
2004047073.tif 000036
【図３５】
2004047073.tif 000037
【図３６】
2004047073.tif 000038
【図３７】
2004047073.tif 000039
【図３８】
2004047073.tif 000040
【図３９】
2004047073.tif 000041
【図４０】
2004047073.tif 000042
【図４１】
2004047073.tif 000043
【図４２】
2004047073.tif 000044
【図４３】
2004047073.tif 000045
【図４４】
2004047073.tif 000046
【図４５】
2004047073.tif 000047
【図４６】
2004047073.tif 000048
【図４７】
2004047073.tif 000049
【図４８】
2004047073.tif 000050
【図４９】
2004047073.tif 000051
【図５０】
2004047073.tif 000052
【図５１】
2004047073.tif 000053
【図５２】
2004047073.tif 000054
【図５３】
2004047073.tif 000055
【図５４】
2004047073.tif 000056
【図５５】
2004047073.tif 000057
【図５６】
2004047073.tif 000058
【図５７】
2004047073.tif 000059
【図５８】
2004047073.tif 000060
【図５９】
2004047073.tif 000061
【図６０】
2004047073.tif 000062
【図６１】
2004047073.tif 000063
【図６２】
2004047073.tif 000064
【図６３】
2004047073.tif 000065
【図６４】
2004047073.tif 000066
【図６５】
2004047073.tif 000067
【図６６】
2004047073.tif 000068
【図６７】
2004047073.tif 000069
【図６８】
2004047073.tif 000070
【図６９】
2004047073.tif 000071
【図７０】
2004047073.tif 000072
【図７１】
2004047073.tif 000073
【図７２】
2004047073.tif 000074
【図７３】
2004047073.tif 000075
【図７４】
2004047073.tif 000076
【図７５】
2004047073.tif 000077
【図７６】
2004047073.tif 000078
【図７７】
2004047073.tif 000079
【図７８】
2004047073.tif 000080
【図７９】
2004047073.tif 000081
【図８０】
2004047073.tif 000082
【図８１】
2004047073.tif 000083
【図８２】
2004047073.tif 000084
【図８３】
2004047073.tif 000085
【図８４】
2004047073.tif 000086
【図８５】
2004047073.tif 000087
【図８６】
2004047073.tif 000088
【図８７】
2004047073.tif 000089
【図８８】
2004047073.tif 000090
【図８９】
2004047073.tif 000091
【図９０】
2004047073.tif 000092